(57)【要約】【課題】  回転装飾部材を回転駆動することによって、電気的表示装置が前面側方向から見える状態と見えない状態とに変更可能に構成すると共に、簡易な構成で回転装飾部材を迅速に原点位置に位置させることが可能な遊技機を提供する。【解決手段】  起動時又はリセット時に、フォトセンサＳＷ１がＯＮで、且つフォトセンサＳＷ２がＯＦＦの場合には、ＣＰＵ２８１は、回転用モータ１２５を低速回転速度で逆回転駆動して、回転装飾部材８３を正面視反時計方向に低速回転駆動する（Ｓ１０１：ＹＥＳ、Ｓ１０２：ＹＥＳ〜Ｓ１０５）。その後、フォトセンサＳＷ１がＯＦＦになった場合には、ＣＰＵ２８１は、回転用モータ１２５を停止して、該回転装飾部材８３を原点位置に停止させる（Ｓ１０６：ＹＥＳ〜Ｓ１０７）。【選択図】  図３６
2006198178.tif 000002
【特許請求の範囲】
【請求項１】
遊技盤の中央部に開設された第１開口部の前面側に設けられて中央部に略横長四角形の第２開口部が形成されて前面部を装飾する前面側装飾部材と、
前記前面側装飾部材の背面側に配置されて、中央部に略円形の第３開口部を有する枠部材と、
正面視略円形で中央部に第４開口部が形成されて前記第３開口部に回転可能に取り付けられる回転装飾部材と、
前記回転装飾部材を回転駆動する回転手段と、
前記回転装飾部材の回転位置を検出する検出手段と、を有する裏側装飾部材と、
前記裏側装飾部材が前記枠部材を介して前面部に取り付けられて、該裏側装飾部材の背面部を覆うように前記第１開口部の裏側に取り付けられる取付カバー部材と、
前記取付カバー部材の背面部に取り付けられて、遊技者に映像を表示する映像表示装置と、
前記検出手段の検出情報に基づいて前記回転手段を駆動制御する回転制御手段と、
を備え、
前記検出手段は、前記回転装飾部材の外周端縁部の中心角が所定の第１角度に渡って半径方向外側に所定長さ延出された正面視半円弧状の延出部と、
前記枠部材の前記延出部に対向する円周上に配置されて、該回転装飾部材が原点位置に位置する場合に、前記延出部の周方向端縁部に対向するように配置されて該延出部の有・無を検出する第１検出センサと、
前記第１検出センサに対して中心角が前記所定の第１角度以下の所定の第２角度の前記円周上に配置されて、該回転装飾部材が原点位置に位置する場合に、該延出部に対向するように配置されて該延出部の有・無を検出する第２検出センサと、
を有し、
前記回転手段は、回転用モータと、
前記回転装飾部材の外周部に形成される回転ギヤ部と、
前記回転ギヤ部に歯合して前記回転用モータのモータ軸の回転を伝達するギヤ列と、
を有し、
前記回転制御手段は、起動時又はリセット時に、前記第１検出センサが前記延出部を検出しておらず、且つ前記第２検出センサが該延出部を検出していない場合には、該第２検出センサが延出部を検出するまで前記回転用モータを所定第１回転速度で所定回転方向に回転駆動して前記回転装飾部材を円周方向の一方向に回転駆動し、続いて、この第２検出センサが延出部を検出した場合には、該回転用モータを前記所定第１回転速度よりも低速の所定第２回転速度で前記所定回転方向に回転駆動して該回転装飾部材を円周方向の一方向に低速回転駆動し、その後、該第１検出センサが該延出部を検出した場合には、該回転用モータを停止して、該回転装飾部材が原点位置に停止するように制御し、
また、前記第１検出センサが前記延出部を検出しておらず、且つ前記第２検出センサが該延出部を検出している場合には、前記回転用モータを前記所定第１回転速度よりも低速の所定第２回転速度で前記所定回転方向に回転駆動して前記回転装飾部材を円周方向の一方向に低速回転駆動し、その後、該第１検出センサが該延出部を検出した場合には、該回転用モータを停止して、該回転装飾部材が原点位置に停止するように制御し、
また、前記第１検出センサが前記延出部を検出しており、且つ前記第２検出センサが該延出部を検出している場合には、該第１検出センサが延出部を検出しなくなるまで前記回転用モータを所定第１回転速度で前記所定回転方向に対して反対回転方向に回転駆動して前記回転装飾部材を円周方向の他方向に回転駆動し、続いて、この第１検出センサが延出部を検出しなくなった場合には、該回転用モータを前記所定第１回転速度よりも低速の所定第２回転速度で前記所定回転方向に回転駆動して該回転装飾部材を円周方向の一方向に低速回転駆動し、その後、該第１検出センサが該延出部を検出した場合には、該回転用モータを停止して、該回転装飾部材が原点位置に停止するように制御し、
更に、前記第１検出センサが前記延出部を検出しており、且つ前記第２検出センサが該延出部を検出していない場合には、該第２検出センサが延出部を検出するまで前記回転用モータを所定第１回転速度で前記所定回転方向に回転駆動して前記回転装飾部材を円周方向の一方向に回転駆動し、続いて、この第２検出センサが延出部を検出した場合には、該回転用モータを前記所定第１回転速度よりも低速の所定第２回転速度で前記所定回転方向に回転駆動して該回転装飾部材を円周方向の一方向に低速回転駆動し、その後、該第１検出センサが該延出部を検出した場合には、該回転用モータを停止して、該回転装飾部材が原点位置に停止するように制御することを特徴とする遊技機。
【請求項２】
前記回転装飾部材は、前記第４開口部の相対向する長辺側の外周部前面側に配置される一対の電気的表示装置を有し、
該第４開口部は、前記第２開口部と略同一の大きさに形成され、
該回転装飾部材が原点位置に位置する場合には、前記第２開口部と前記第４開口部とは正面視重なるように配置されることを特徴とする請求項１に記載の遊技機。
【発明の詳細な説明】
【技術分野】
【０００１】
本発明は、遊技領域に設けられて変動図柄を表示する映像表示装置を備えた遊技機に関するものである。
【背景技術】
【０００２】
従来より、遊技領域に設けられて変動図柄を表示する映像表示装置を備えた遊技機に関して種々提案されている。
例えば、図柄表示装置を備える遊技機であって、図柄表示装置は、主表示装置と、補助表示装置を有し、主表示装置は、変動停止時の表示態様により遊技者に特典の成立の可否を認識させる図柄を変動表示し、補助表示装置は、主表示装置の周囲に配される第１の枠体と、第１の枠体を回転駆動する駆動源とを有し、第１の枠体は、その表面に第１の識別情報が表示されるとともに、主表示装置に図柄が変動表示される際に回転駆動されて第１の識別情報を所定位置に移動させるように構成した遊技機が提案されている（例えば、特許文献１参照。）。
【特許文献１】特開２００２−２９２０３２号公報（段落（００１５）〜（００３７）、図１〜図３１）
【発明の開示】
【発明が解決しようとする課題】
【０００３】
しかしながら、上述の遊技機の構成では、主表示装置に図柄が変動表示される際に、常に補助表示装置は第１の識別情報を所定位置に移動させるよう回転駆動されるため、補助表示装置の演出表示を一時的に中止することができないという問題がある。
また、第１ディスク３２に設けられた原点を示すマーキングを位置検出手段３９によって検出し、この検出信号に基づいて表示制御部２００は第１ディスク３２と枠部２２の相対的な位置関係を判定して、所望の位置に第１ディスク３２を停止するため、起動時又はリセット時に、第１ディスク３２を原点位置に回転停止させる場合には、該第１ディスク３２の回転停止位置が不明となり、時計方向又は反時計方向の一定方向に低速で最大約３６０度回転させる必要があり、原点位置に位置するまでに長時間かかるという問題がある。
【０００４】
そこで、本発明は、上述した問題点を解決するためになされたものであり、遊技盤の前面側に設けられて前面部を装飾する前面側装飾部材と、この前面側装飾部材の背面側に配置される裏側装飾部材とを設け、この裏側装飾部材の中央部に電気的表示装置を有する回転装飾部材を回転可能に取り付け、この回転装飾部材を回転駆動することによって、電気的表示装置が前面側方向から見える状態と見えない状態とに変更可能に構成すると共に、起動時又はリセット時に、簡易な構成で回転装飾部材の回転位置を検出して、迅速に原点位置に位置させることが可能な遊技機を提供することを目的とする。
【課題を解決するための手段】
【０００５】
前記目的を達成するため請求項１に係る遊技機は、遊技盤の中央部に開設された第１開口部の前面側に設けられて中央部に略横長四角形の第２開口部が形成されて前面部を装飾する前面側装飾部材と、前記前面側装飾部材の背面側に配置されて、中央部に略円形の第３開口部を有する枠部材と、正面視略円形で中央部に第４開口部が形成されて前記第３開口部に回転可能に取り付けられる回転装飾部材と、前記回転装飾部材を回転駆動する回転手段と、前記回転装飾部材の回転位置を検出する検出手段と、を有する裏側装飾部材と、前記裏側装飾部材が前記枠部材を介して前面部に取り付けられて、該裏側装飾部材の背面部を覆うように前記第１開口部の裏側に取り付けられる取付カバー部材と、前記取付カバー部材の背面部に取り付けられて、遊技者に映像を表示する映像表示装置と、前記検出手段の検出情報に基づいて前記回転手段を駆動制御する回転制御手段と、を備え、前記検出手段は、前記回転装飾部材の外周端縁部の中心角が所定の第１角度に渡って半径方向外側に所定長さ延出された正面視半円弧状の延出部と、前記枠部材の前記延出部に対向する円周上に配置されて、該回転装飾部材が原点位置に位置する場合に、前記延出部の周方向端縁部に対向するように配置されて該延出部の有・無を検出する第１検出センサと、前記第１検出センサに対して中心角が前記所定の第１角度以下の所定の第２角度の前記円周上に配置されて、該回転装飾部材が原点位置に位置する場合に、該延出部に対向するように配置されて該延出部の有・無を検出する第２検出センサと、を有し、前記回転手段は、回転用モータと、前記回転装飾部材の外周部に形成される回転ギヤ部と、前記回転ギヤ部に歯合して前記回転用モータのモータ軸の回転を伝達するギヤ列と、を有し、前記回転制御手段は、起動時又はリセット時に、前記第１検出センサが前記延出部を検出しておらず、且つ前記第２検出センサが該延出部を検出していない場合には、該第２検出センサが延出部を検出するまで前記回転用モータを所定第１回転速度で所定回転方向に回転駆動して前記回転装飾部材を円周方向の一方向に回転駆動し、続いて、この第２検出センサが延出部を検出した場合には、該回転用モータを前記所定第１回転速度よりも低速の所定第２回転速度で前記所定回転方向に回転駆動して該回転装飾部材を円周方向の一方向に低速回転駆動し、その後、該第１検出センサが該延出部を検出した場合には、該回転用モータを停止して、該回転装飾部材が原点位置に停止するように制御し、また、前記第１検出センサが前記延出部を検出しておらず、且つ前記第２検出センサが該延出部を検出している場合には、前記回転用モータを前記所定第１回転速度よりも低速の所定第２回転速度で前記所定回転方向に回転駆動して前記回転装飾部材を円周方向の一方向に低速回転駆動し、その後、該第１検出センサが該延出部を検出した場合には、該回転用モータを停止して、該回転装飾部材が原点位置に停止するように制御し、また、前記第１検出センサが前記延出部を検出しており、且つ前記第２検出センサが該延出部を検出している場合には、該第１検出センサが延出部を検出しなくなるまで前記回転用モータを所定第１回転速度で前記所定回転方向に対して反対回転方向に回転駆動して前記回転装飾部材を円周方向の他方向に回転駆動し、続いて、この第１検出センサが延出部を検出しなくなった場合には、該回転用モータを前記所定第１回転速度よりも低速の所定第２回転速度で前記所定回転方向に回転駆動して該回転装飾部材を円周方向の一方向に低速回転駆動し、その後、該第１検出センサが該延出部を検出した場合には、該回転用モータを停止して、該回転装飾部材が原点位置に停止するように制御し、更に、前記第１検出センサが前記延出部を検出しており、且つ前記第２検出センサが該延出部を検出していない場合には、該第２検出センサが延出部を検出するまで前記回転用モータを所定第１回転速度で前記所定回転方向に回転駆動して前記回転装飾部材を円周方向の一方向に回転駆動し、続いて、この第２検出センサが延出部を検出した場合には、該回転用モータを前記所定第１回転速度よりも低速の所定第２回転速度で前記所定回転方向に回転駆動して該回転装飾部材を円周方向の一方向に低速回転駆動し、その後、該第１検出センサが該延出部を検出した場合には、該回転用モータを停止して、該回転装飾部材が原点位置に停止するように制御することを特徴とする。
【０００６】
また、請求項２に係る遊技機は、請求項１に記載の遊技機において、前記回転装飾部材は、前記第４開口部の相対向する長辺側の外周部前面側に配置される一対の電気的表示装置を有し、該第４開口部は、前記第２開口部と略同一の大きさに形成され、該回転装飾部材が原点位置に位置する場合には、前記第２開口部と前記第４開口部とは正面視重なるように配置されることを特徴とする。
【発明の効果】
【０００７】
請求項１に係る遊技機では、遊技盤の中央部に開設された第１開口部の前面側に設けられて前面部を装飾する前面側装飾部材の中央部には、略横長四角形の第２開口部が形成されている。また、この前面側装飾部材の背面側には、裏側装飾部材が配置されている。また、この裏側装飾部材は、枠部材の中央部に形成される第３開口部に、回転装飾部材が回転可能に設けられ、回転手段によって回転駆動される。そして、この回転装飾部材の中央部には、第４開口部が形成されている。
また、この回転装飾部材の外周端縁部には、中心角が所定の第１角度に渡って半径方向外側に所定長さ延出された正面視半円弧状の延出部が設けられている。また、枠部材の延出部に対向する円周上には、該回転装飾部材が原点位置に位置する場合に、延出部の周方向端縁部に対向するように配置されて該延出部の有・無を検出する第１検出センサと、この第１検出センサに対して中心角が前記所定の第１角度以下の所定の第２角度の位置で、該延出部に対向するように配置されて該延出部の有・無を検出する第２検出センサとが設けられ、この第１検出センサと第２検出センサとを介して回転装飾部材の原点位置からの回転位置が検出される。また、回転装飾部材は外周部に回転ギヤ部が形成され、この回転ギヤ部に歯合するギヤ列を介して回転用モータによって回転駆動される。
【０００８】
そして、起動時又はリセット時に、第１検出センサが延出部を検出しておらず、且つ第２検出センサが該延出部を検出していない場合には、該第２検出センサが延出部を検出するまで回転用モータが所定第１回転速度で所定回転方向に回転駆動されて、回転装飾部材が円周方向の一方向に回転駆動される。続いて、この第２検出センサが延出部を検出した場合には、該回転用モータが所定第１回転速度よりも低速の所定第２回転速度で所定回転方向に回転駆動されて該回転装飾部材が円周方向の一方向に低速回転駆動される。その後、該第１検出センサが該延出部を検出した場合には、該回転用モータが停止されて、該回転装飾部材が原点位置に停止する。
また、起動時又はリセット時に、第１検出センサが延出部を検出しておらず、且つ第２検出センサが該延出部を検出している場合には、回転用モータが所定第１回転速度よりも低速の所定第２回転速度で所定回転方向に回転駆動して回転装飾部材が円周方向の一方向に低速回転駆動される。その後、該第１検出センサが該延出部を検出した場合には、該回転用モータが停止されて、該回転装飾部材が原点位置に停止する。
また、起動時又はリセット時に、第１検出センサが延出部を検出しており、且つ第２検出センサが該延出部を検出している場合には、該第１検出センサが延出部を検出しなくなるまで回転用モータが所定第１回転速度で所定回転方向に対して反対回転方向に回転駆動されて回転装飾部材が円周方向の他方向に回転駆動される。続いて、この第１検出センサが延出部を検出しなくなった場合には、該回転用モータが所定第１回転速度よりも低速の所定第２回転速度で所定回転方向に回転駆動されて、該回転装飾部材が円周方向の一方向に低速回転駆動される。その後、該第１検出センサが該延出部を検出した場合には、該回転用モータが停止されて、該回転装飾部材が原点位置に停止する。
更に、起動時又はリセット時に、第１検出センサが延出部を検出しており、且つ第２検出センサが該延出部を検出していない場合には、該第２検出センサが延出部を検出するまで回転用モータが所定第１回転速度で所定回転方向に回転駆動されて、回転装飾部材が円周方向の一方向に回転駆動される。続いて、この第２検出センサが延出部を検出した場合には、該回転用モータが所定第１回転速度よりも低速の所定第２回転速度で所定回転方向に回転駆動されて、該回転装飾部材が円周方向の一方向に低速回転駆動される。その後、該第１検出センサが該延出部を検出した場合には、該回転用モータが停止されて、該回転装飾部材が原点位置に停止する。
【０００９】
これにより、延出部が回転装飾部材の外周端縁部の中心角が所定の第１角度に渡って形成され、この延出部の有・無を検出する第１検出センサと第２検出センサとは、中心角がこの所定の第１角度以下の所定の第２角度だけ離れて配置されているため、起動時又はリセット時に、第１検出センサが延出部を検出しておらず、且つ第２検出センサが該延出部を検出している場合には、回転装飾部材が原点位置から円周方向の一方向に対して反対の円周方向の他方向に所定角度以内の回転した位置にあると判断することができ、回転用モータを所定第１回転速度よりも低速の所定第２回転速度で所定回転方向に回転駆動して、該回転装飾部材を円周方向の一方向に低速回転させて原点位置に正確に停止させることが可能となる。また、回転装飾部材を低速回転させる中心角度が所定角度以下となるため、回転装飾部材の低速回転の時間を短縮することが可能となり、起動時又はリセット時に、回転装飾部材を迅速に原点位置に停止させることが可能となる。
また、起動時又はリセット時に、第１検出センサが延出部を検出しておらず、且つ第２検出センサが該延出部を検出していない場合、また、第１検出センサが延出部を検出しており、且つ第２検出センサが該延出部を検出している場合、また、第１検出センサが延出部を検出しており、且つ第２検出センサが該延出部を検出していない場合には、回転装飾部材が原点位置から円周方向の一方向に対して反対の円周方向の他方向に所定角度以内の回転した位置にないと判断することができる。このため、第１検出センサが延出部を検出しておらず、且つ第２検出センサが該延出部を検出している状態になるまで、即ち、回転装飾部材が原点位置から円周方向の一方向に対して反対の円周方向の他方向に所定角度以内の回転した位置の状態になるまで回転用モータを所定第１回転速度で回転させ、続いて、第１検出センサが延出部を検出しておらず、且つ第２検出センサが該延出部を検出している状態になった場合には、回転装飾部材が原点位置から円周方向の一方向に対して反対の円周方向の他方向に所定角度以内の回転した位置にあると判断して、回転用モータを所定第１回転速度よりも低速の所定第２回転速度で所定回転方向に回転駆動して、該回転装飾部材を円周方向の一方向に低速回転させて原点位置に正確に停止させることが可能となる。また、回転装飾部材が原点位置から円周方向の一方向に対して反対の円周方向の他方向に所定角度以内の回転した状態になるまで、回転用モータを所定第１回転速度で回転させ、その後、回転装飾部材が原点位置から円周方向の一方向に対して反対の円周方向の他方向に所定角度以内の回転した状態になった場合には、回転用モータを所定第１回転速度よりも低速の所定第２回転速度で所定回転方向に回転駆動するため、回転装飾部材の低速回転の時間を短縮することが可能となり、起動時又はリセット時に、回転装飾部材を更に迅速に原点位置に停止させることが可能となる。
【００１０】
また、請求項２に係る遊技機では、回転装飾部材は、前面側装飾部材の第２開口部と略同一の大きさに形成される略横長四角形の第４開口部の相対向する長辺側の外周部前面側に一対の電気的表示装置が設けられている。また、回転装飾部材が原点位置に位置する場合には、前面側装飾部材の第２開口部とこの前面側装飾部材の背面側に回転可能に設けられる回転装飾部材の第４開口部とは正面視重なるように配置される。
これにより、起動時又はリセット時に、回転装飾部材が原点位置に位置する場合には、該回転装飾部材の中央部に形成される第４開口部が第２開口部に重なるように位置し、第４開口部は第２開口部と略同一の大きさであるため、各電気的表示装置は前面側装飾部材によって隠されて、遊技者には見えなくなる。一方、回転装飾部材が回転手段を介して所定角度（例えば、時計方向に４５度や９０度）回転駆動された場合には、各電気的表示装置は第２開口部内に出現し、遊技者がこの各電気的表示装置を確認することができ、種々の演出表示を行うことが可能となる。従って、映像表示装置のみの演出表示だけを行うことが可能となると共に、必要なときに裏側装飾部材に設けられた一対の電気的表示装置を出現させて演出表示を行うことができ、特別図柄表示装置の演出表示の多様化を図ることができ、興趣を増大させることができる。
【発明を実施するための最良の形態】
【００１１】
以下、本発明に係る遊技機についてパチンコ機について具体化した一実施例を図面を参照して詳細に説明する。
【実施例１】
【００１２】
先ず、本実施例に係るパチンコ機の概略構成について図１及び図２に基づき説明する。
図１及び図２に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤４１（図３参照）上の遊技領域４２（図３参照）を見ることができるように構成されている。また、前面カバー部材４の窓部５の左上端縁部には、フルカラーの発光ダイオードが内蔵され、遊技中のエラーを表示するエラー表示電飾ランプ６が取付けられている。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーダイオードが窓部５の外周部に沿って内蔵され、遊技中に光演出が行われる。
【００１３】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球払出装置２２を介して払い出される賞球を受ける上皿８が配設されている。また、この上皿８は、左端縁部の上下を軸支されて、前面カバー部材４を開放後、内側に設けられた不図示のレバーを下げることにより開放できるように取付けられている。また、この上皿８の中央前面部には、不図示のカード式球貸機を操作する球貸操作部８Ｂが設けられ、各操作ボタン８Ｃ、８Ｄが配置されている。そして、その上皿８の下には、下皿９が配設される。また、この下皿９の上端面左方には演出表示等に使用可能な各スイッチボタン９Ａ、９Ｂが配置されている。
【００１４】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイド（不図示）や発射勢装置として機能する発射制御基板３０等から構成され、該発射制御基板３０は、操作ハンドル１０の内部に取り付けられる可変抵抗器（不図示）を介して発射ソレノイドへの供給電力が調節され、パチンコ球の発射勢を強めたり、弱めたりすることが可能なように構成されている。これにより、遊技者が操作ハンドル１０における回動操作部材１０Ａの回動量を調節することによって、該操作ハンドル１０内に取り付けられた可変抵抗器の抵抗値が増減され、発射ソレノイドによるパチンコ球の発射勢の加減を適宜行うことができるように構成されている。
また、外枠２の内枠３より下側部分の前面部を左右方向及び上下方向の各全幅に渡って覆うようにスピーカ筐体１１が設けられている。
また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部（不図示）が設けられている。
【００１５】
また、この内枠３のほぼ中央部には遊技盤４１が着脱自在なように鉄板等の金属製や合成樹脂製又は合成樹脂の一体成形により形成される機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２１は、傾斜した底面に連通孔が形成され、その連通孔の下方にはパチンコ球を２列に整列流出し、賞球払出装置２２にパチンコ球を送る通路を形成するタンクレール２３が取付けられている。また、賞球払出装置２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球払出装置２２等により賞球及び貸球の払い出しシステムが構成されている。
【００１６】
また、タンクレール２３の下側には液晶表示器（ＬＣＤ）５２（図４参照）等を制御する演出表示基板２６０（図２２参照）が内蔵される演出表示基板ケース２６が配設されている。また、演出表示基板ケース２６の横側には普通役物等を駆動制御する役物駆動制御基板が内蔵される役物駆動制御基板ケース２７が配設されている。また、演出表示基板ケース２６の下側には、各スピーカ７、スピーカ筐体１１に内蔵されるスピーカ、エラー表示電飾ランプ６等のフルカラーダイオード、及び後述の回転用モータ１２５（図８参照）等を駆動制御するサブ統合制御基板２８０（図２２参照）が内蔵されるサブ統合制御基板ケース２８が配設されている。また、このサブ統合制御基板ケース２８の下側には、パチンコ機１の遊技動作を制御する主制御基板２９０（図２２参照）が内蔵される主制御基板ケース２９が配設されている。そして、この主制御基板ケース２９の遊技者側前面部には、操作ハンドル１０の操作によって発射装置を駆動制御する発射制御基板が内蔵される発射制御基板ケース３０が配設されている。また、主制御基板ケース２９の横側には、賞球払出装置２２を駆動制御する払出制御基板が内蔵される払出制御基板ケース３１が配設されている。更に、この払出制御基板ケース３１の下側には、ＡＣ２４Ｖの供給電源からＤＣ５ＶやＤＣ１２Ｖ等の各種駆動電源を生成して供給する電源基板が内蔵される電源基板ケース３２が配設されている。
【００１７】
次に、遊技盤４１上の遊技領域４２の構成について図３及び図４に基づいて説明する。
図３及び図４に示すように、この遊技領域４２は、所定厚さの板材をなした遊技盤４１上に入賞口などの各構造物が配設され、それを囲むように環状のレール４３が立設されて構成されている。このレール４３は、発射されたパチンコ球を遊技領域４２内に案内する重複して形成した案内路４４を構成し、右肩部にはレール４３に沿って打ち込まれるパチンコ球の進行を制限するための段差部４５を有する。
遊技領域４２のほぼ中央には、第１開口部４７が開設され、この第１開口部４７に特別図柄表示装置４８が配設されている。この特別図柄表示装置４８は、遊技盤４１の前面側に装着される後述の前面側装飾部材４９（図５、図６参照）と、この前面側装飾部材４９の背面側に配置される後述の裏側装飾部材５０（図７等参照）と、この前面側装飾部材４９及び裏側装飾部材５０の背面部を覆うように第１開口部４７の裏側に取り付けられる取付カバー部材５１と、この取付カバー部材５１の背面部に取り付けられる液晶表示器（ＬＣＤ）５２等から構成されている。この液晶表示器５２には、左、中、右に３列の変動図柄が表示される。
【００１８】
一方、特別図柄表示装置４８の左側にはゲート５４が配設されている。また、このゲート５４にはパチンコ球の通過を検出するゲートスイッチ５４Ａ（図２２参照）が備えられている。また、特別図柄表示装置４８の左右の下角部の外側には、通常の風車５５、５６が設けられている。
また、特別図柄表示装置４８の直下には、始動口５７が配設されている。この始動口５７には、パチンコ球の入賞を検出する始動口スイッチ５７Ａ（図２２参照）が設けられ、パチンコ球の入賞を検出することで液晶表示器５２に表示されている３列の変動図柄の変動が開始する。そして、変動図柄が変動中に始動口５７に入賞した場合には、入賞個数が４個まで後述の主制御基板２９０（図２２参照）に設けられるＲＡＭに記憶されて変動確定回数として保留される。
【００１９】
また、裏側装飾部材５０の回転装飾部材８３（図８参照）が原点位置から時計方向に約９０度回転した位置に停止している場合には（図２０参照）、ゲート５４のパチンコ球の通過を検出することで後述のように各７セグメント表示部１００、１０１（図８参照）に配設される各セグメントに対応する電飾ランプ等が変動点灯する。そして、このゲート５４にパチンコ球が入って、各７セグメント表示部１００、１０１が変動点灯後、所定の点灯態様で停止した場合（例えば、「１」と「１」、「７」と「７」のように揃って点灯した場合等）には、始動口５７の上部に設けられるチューリップ式役物５７Ｂが所定時間（本実施例では、約１秒間）開かれ、この始動口５７にパチンコ球が入賞する確率が増加する。また、各７セグメント表示部１００、１０１が変動点灯中にゲート５４をパチンコ球が通過した場合には、通過個数が４個まで主制御基板２９０に設けられるＲＡＭに記憶されて変動点灯確定回数として保留される。
【００２０】
そして、始動口５７の下側には、横幅が広い上方に開口する開閉扉５９で前面部を覆われる大入賞口６０が形成された特別入賞装置６１が配設されている。また、この大入賞口６０の左右両側には上方に開口する各入賞口６２、６３が配設されて遊技盤４１裏面の不図示の賞球樋に連通され、この各入賞口６２、６３への入賞を検出する入賞口スイッチ（不図示）が設けられている。また、各入賞口６２、６３の下側には、各電飾ランプ６２Ａ、６３Ａが内蔵されている。
また、特別入賞装置６１の直下にはレール４３に沿ってアウト口６５が開設されている。更に、レール４３に囲まれたこのような遊技領域４２には、前記各構成物とともに複数の釘が打設されてパチンコ球の複雑な流路を構成している。
【００２１】
次に、遊技盤４１の第１開口部４７に前面側から取り付けられる前面側装飾部材４９の概略構成について図５及び図６に基づいて説明する。
図５及び図６に示すように、前側装飾部材４９は、遊技盤４１の第１開口部４７に前面側から嵌入されて各取付穴６７を介してビス止め等によって取り付けられ、この第１開口部４７の前面部を閉塞すると共に装飾している。また、この前側装飾部材４９の中央部には、液晶表示器（ＬＣＤ）５２の表示画面にほぼ等しい大きさの略横長四角形の第２開口部６９が開設されている。また、この前側装飾部材４９の背面部は、ほぼ前面に渡って透明な板状の樹脂製保護カバー７１で覆われている。これにより、この第２開口部６９内に遊技球が転動落下しても遊技盤４１の裏側に進入することを阻止でき、裏側装飾部材５０内に滞留したり、液晶表示器５２に衝突することを防止することができる。また、遊技者はこの保護カバー７１を介して液晶表示器５２の演出表示を見ることができる。
また、この第２開口部６９の下側側壁部７２は、外側下方向に傾斜して設けられているため、該第２開口部６９内に転動落下した遊技球を確実に外側方向に転動落下させることができる。
また、この前側装飾部材４９の両肩部７３、７４には、上辺部に転動落下してこの両肩部７３、７４上を転動落下した遊技球が進入可能な各ワープ入り口７３Ａ、７４Ａが形成されており、左右側縁部に沿って下端部まで連通される各ワープ通路７５、７６に進入可能に構成されている。そして、各ワープ通路７５、７６内を転動落下した遊技球は、前面装飾部材４９の下端面上を転動して、転動スピードが遅い場合は、この前面側装飾部材４９の下端部前面で、且つ始動口５７の直上に形成される始動口案内孔７７の左右斜め上の各段差部から下方に転動落下し、一方、転動スピードが速い場合は、この始動口案内孔７７の直上に形成された案内孔に転動落下した後、該始動口案内孔７７から下方に転動落下するように構成されている。
【００２２】
次に、裏側装飾部材５０の概略構成について図７乃至図１８に基づいて説明する。
図７に示すように、裏側装飾部材５０は、中央部に略円形の第３開口部８１が形成されて、取付カバー部材５１の前面部に取り付けられる略矩形状の枠部材８２と、この枠部材８２の前面側から第３開口部８１の外周部を覆うと共に該第３開口部８１に回転可能に装着される正面視略円形の回転装飾部材８３と、該枠部材８２の背面側から回転装飾部材８３の背面部を覆うように取り付けられて第３開口部８１内に回転可能に装着される回転カバー部材８４とから構成されている。
また、第３開口部８１の裏側周縁部には、リブ部８１Ａが所定高さ（例えば、約１０ｍｍの高さである。）裏側方向に周設されている。また、回転カバー部材８４の開口部８６の周囲には、この回転カバー部材８４の回転軸心を中心として、正面視円形のリブ部８４Ａが所定高さ（例えば、約１０ｍｍの高さである。）前面側方向に立設されている。これにより、枠部材８１の第３開口部８１及びリブ部８１Ａの内周面と、回転装飾部材８３の背面部及び回転カバー部材８４のリブ部８４Ａの外周面とによって、後述のように、可撓性及び屈曲性を有する各フレキシブルプリント配線１０３、１０４が側面視Ｕ字形に折り返されて配設される空間部１０５が形成される（図１５参照）。
また、回転装飾部材８３と回転カバー部材８４とのそれぞれの略中央部には、略横長四角形の各開口部８５、８６が形成され、回転装飾部材８３の背面部に回転カバー部材８４を取り付けた場合には、前面側装飾部材４９の第２開口部６９とほぼ同じ大きさの第４開口部８７が形成される（図１０参照）。そして、取付カバー部材５１を介して遊技盤４１の第１開口部４７の裏側に装着された場合には、前面側装飾部材４９の第２開口部６９と裏側装飾部材５０の第４開口部８７とは、相対向するように配置される（図３参照）。
【００２３】
図８乃至図１１に示すように、枠部材８２の前面側の上辺部には、下端縁部が円弧状に形成された前側回転支持板８９が取り付けられている。この前側回転支持板８９の下端縁部は、回転装飾部材８３の外周部から所定寸法（例えば、約３ｍｍ〜５ｍｍである。）半径方向内側の位置に、軸方向に形成された正面視円形の段差部９０の外周面に摺接可能に設けられ、該回転装飾部材８３の上方向への変位を支持すると共に、軸方向前側への変位を支持するように構成されている。また、この前側回転支持板８９の左右方向中央部には逆三角形の位置マーク９１が形成されている。一方、回転装飾部材８３の段差部９０の前面部には、第４開口部８７の長手方向が略水平に位置した場合に、この位置マーク９１に対向する位置に原点位置を表す原点マーク９２が形成されている。これにより、原点マーク９２を位置マーク９１に合わせることによって、枠部材８２に対する回転装飾部材８３の原点位置合わせを目視で行うことができる。
また、枠部材８２の背面側の上辺部には、下端縁部が円弧状に形成された裏側回転支持板９５が取り付けられている。この裏側回転支持部材９５の下端縁部は、回転カバー部材８４の外周部から所定寸法（例えば、約５ｍｍ〜１０ｍｍである。）半径方向内側の位置に、軸方向に形成された正面視円形の段差部９４の外周面に摺接可能に設けられ、該回転カバー部材８４の上方向への変位を支持すると共に、軸方向背面側への変位を支持するように構成されている。
【００２４】
また、枠部材８２の第３開口部８１の外周部には、位置マーク９１から正・逆回転方向の中心角約１２０度の位置に、金属製の各シャフト９７、９８が前後方向に貫通して立設され、各回転ローラ９７Ａ、９７Ｂと各回転ローラ９８Ａ、９８Ｂとが軸支されている。また、枠部材８２の前面側に配置される各回転ローラ９７Ａ、９８Ａは、回転装飾部材８３の段差部９０の外周面に当接可能に設けられ、該回転装飾部材８３の下方向への変位及び荷重を支持すると共に、軸方向前側への変位を支持するように構成されている。また、枠部材８２の背面側に配置される各回転ローラ９７Ｂ、９８Ｂは、回転カバー部材８４の段差部９４の外周面に当接可能に設けられ、該回転カバー部材８４の下方向への変位及び荷重を支持すると共に、軸方向背面側への変位を支持するように構成されている。また、各シャフト９７、９８の背面側端縁部には、正面視略Ｌ字形の保護板９９が取り付けられ、各回転ローラ９７Ｂ、９８Ｂの背面側端縁部に摺接している。
これにより、枠部材８１が取付カバー部材５１を介して遊技盤４１に平行になるように取り付けられた場合には、回転装飾部材８３及び回転カバー部材８４は、各回転ローラ９７Ａ、９７Ｂと各回転ローラ９８Ａ、９８Ｂとによって、第３開口部８１内に回転可能に支持される。
【００２５】
また、回転装飾部材８３の第４開口部８７の相対向する長辺側の外周部前面側には、長手方向中央部に各７セグメント表示部１００、１０１が設けられと共に、該各７セグメント表示部１００、１０１の長手方向両外側には各電飾ランプカバー１００Ａ、１０１Ａが設けられている。また、回転装飾部材８３の各７セグメント表示部１００、１０１及び各電飾ランプカバー１００Ａ、１０１Ａの背面部には、各セグメント毎に点灯表示される電飾ランプや光演出用の各種電飾ランプ等が配設された各表示回路基板１００Ｂ、１０１Ｂ（図１５参照）が設けられ、各７セグメント表示部１００、１０１における７セグメント表示の光演出が可能に構成されると共に、各種光演出に合わせて各電飾ランプカバー１００Ａ、１０１Ａによる光演出が行われる。
一方、枠部材８２の背面側には、右側縁部（図９中、左側縁部）の上下方向略中央部に中継基板１０２が配設され、該中継基板１０２と各表示回路基板１００Ｂ、１０１Ｂとは、各フレキシブルプリント配線１０３、１０４を介して電気的に接続されている。また、後述のように、各表示回路基板１００Ｂ、１０１Ｂは、中継基板１０２を介してサブ統合制御基板２８０に電気的に接続されている（図２２参照）。
【００２６】
ここで、各フレキシブルプリント配線１０３、１０４の配線状態の詳細について図１２乃至図１５に基づいて説明する。
図１２に示すように、各フレキシブルプリント配線１０３、１０４は、中継基板１０２から下側方向に引き出されて、該中継基板１０２の内側に対向して立設される断面略四角形のボス部１０７Ａと断面略円形のボス部１０７Ｂとの間を重ねられて通り、枠部材８２のリブ部８１Ａの外周部が軸方向に所定幅（本実施例では、約３ｍｍ〜５ｍｍ幅である。）で切り欠かれたスリット状の挿入口１０８から空間部１０５内に、該リブ部８１Ａの内周面の接線方向に沿って挿入されている。また、回転装飾部材８３が原点位置に位置する場合には、この重ねられて挿入された各フレキシブルプリント配線１０３、１０４は、この空間部１０５内の第３開口部８１及びリブ部８１Ａの内周面に沿って上側の表示回路基板１０１Ｂ上を通り過ぎて、原点マーク９２から中心角が所定角度（本実施例では、約４５度である。）に達した場合には、再度挿入口１０８方向へ側面視Ｕ字形に内側方向に折り返されて、配設される。
【００２７】
また、この折り返された各フレキシブルプリント配線１０３、１０４は、回転カバー部材８４のリブ部８４Ａの外周面に沿って上側の表示回路基板１０１Ｂ上に達した場合には、このリブ部８４Ａに形成された軸方向に所定幅（本実施例では、約３ｍｍ〜５ｍｍ幅である。）で切り欠かれたスリット状の入口部１１０に、外周面の接線方向に沿って挿入される。そして、この入口部１１０に挿入されたフレキシブルプリント配線１０３は、表示回路基板１０１Ｂに接続される。一方、この入口部１１０に挿入されたフレキシブルプリント配線１０４は、リブ部８４Ａの内周面に沿って配設され、このリブ部８４Ａに形成されたスリット状の出口部１１１から空間部１０５に引き出されて、このリブ部８４Ａの外周面に沿って配設される。そして、原点マーク９２を過ぎて中心角が約９０度に達した場合には、リブ部８４Ａに形成されたスリット状の入口部１１２に挿入された後、このリブ部８４Ａに形成されたスリット状の出口部１１３から再度、空間部１０５に引き出されてリブ部８４Ａの外周面に沿って配設される。続いて、リブ部８４Ａの外周面に沿って下側の表示回路基板１００Ｂ上に達した場合には、このリブ部８４Ａに形成されたスリット状の入口部１１５に、外周面の接線方向に沿って挿入される。そして、この入口部１１５に挿入されたフレキシブルプリント配線１０４は、表示回路基板１００Ｂに接続される。
【００２８】
従って、挿入口１０８から空間部１０５内に挿入された各フレキシブルプリント配線１０３、１０４は、空間部１０５内で側面視Ｕ字形に折り返されて配設されるため、中継基板１０２から各表示回路基板１００Ｂ、１０１Ｂまでの最大配線長さよりも長くなるように形成されている。また、フレキシブルプリント配線１０３は、表示回路基板１０１Ｂ上を通り過ぎた後、空間部１０５内で内側方向に折り返されて配設された後、入口部１１０に挿入されるため、このフレキシブルプリント配線１０３の曲げ弾性によってリブ部８４Ａの外周面に密着させて取り付けることができる。これにより、図１３及び図１５に示すように、フレキシブルプリント配線１０３は、その曲げ弾性によって回転装飾部材８３及び回転カバー部材８４の回転に伴って、順次リブ部８４Ａの外周面に密着するように空間部１０５内でスムーズに折り返されて移動することが可能となる。
また、フレキシブルプリント配線１０４は、回転カバー部材８４のリブ部８４Ａに形成されたスリット状の出口部１１１から引き出された後、入口部１１２及び出口部１１３に挿入されて、入口部１１５に挿入されるため、フレキシブルプリント配線１０４をリブ部８４Ａの外周面に確実に密着させて取り付けることができる。このため、図１４及び図１５に示すように、フレキシブルプリント配線１０４は、その曲げ弾性によって回転装飾部材８３及び回転カバー部材８４の回転に伴って、順次リブ部８４Ａの外周面に密着するように空間部１０５内でスムーズに折り返されて移動することが可能となる。
【００２９】
また、図８及び図１０に示すように、回転装飾部材８３の各７セグメント表示部１００、１０１及び各電飾ランプカバー１００Ａ、１０１Ａの外周部には、原点マーク９２に対して左右対称に所定中心角度（本実施例では、約２７０度である。）で案内溝１１８が形成され、この案内溝１１８の両端縁部には、所定高さの各リブ１１９が外側方向に突設されている。一方、枠部材８２の前面部の右側端縁部には、案内溝１１８の前側を覆うように回転規制板１２０が取り付けられている。また、この回転規制板１２０の下端縁部の背面側には、所定高さのボス部１２１が立設されて、案内溝１１８内に挿入されている。これにより、このボス部１２１が案内溝１１８の両端縁部に突設された各リブ１１９に当接することによって、回転装飾部材８３の時計方向及び反時計方向への最大回転可能角度を規制することができる。
【００３０】
また、図８乃至図１１に示すように、枠部材８２の前面部の右上角部には、ステッピングモータ等によって構成される回転用モータ１２５がモータ軸を該枠部材８２の裏側方向に貫通して取り付けられている。また、このモータ軸にはピニオンギヤ１２６が取り付けられている。また、このピニオンギヤ１２６には、枠部材８２及び保護板９９間に軸支されるアイドルギヤ１２７が歯合している。また、このアイドルギヤ１２７の枠部材８２側の面には、このアイドルギヤ１２７の歯数よりも少ない歯数のアイドルギヤ１２８（図１６参照）が同軸上に設けられている。更に、このアイドルギヤ１２８には、回転カバー部材８４の外周部の全周に形成される回転ギヤ部１２９（図１６参照）が歯合している。これより、回転用モータ１２５が時計方向に正回転した場合には、各アイドルギヤ１２７、１２８及び回転ギヤ部１２９を介して、各回転ローラ９７Ａ、９７Ｂ、９８Ａ、９８Ｂ等によって回転可能に支持される回転装飾部材８３及び回転カバー部材８４が時計方向に回転される。また、回転用モータ１２５が反時計方向に逆回転した場合には、各アイドルギヤ１２７、１２８及び回転ギヤ部１２９を介して、回転装飾部材８３及び回転カバー部材８４が反時計方向に回転される。
【００３１】
また、図７、図８及び図１０に示すように、回転装飾部材８３の外周部には、原点マーク９２から反時計方向に中心角が約４５度の位置から約２２５度の位置までに渡って、半径方向外側に所定長さ（本実施例では、約５ｍｍ〜１０ｍｍである。）延出された正面視略半円弧状の延出部１３１が形成されている。また、回転装飾部材８３の原点マーク９２が枠部材８２の位置マーク９１に対向する位置、即ち、回転装飾部材８３が原点位置に位置する場合に、この延出部１３１の反時計方向側の端縁部に対向する枠部材８２の前面部には、透過型のフォトセンサＳＷ１が、該延出部１３１の反時計方向側の端縁部を挟むように配設されている。従って、このフォトセンサＳＷ１は、位置マーク９１から中心角が時計方向に約１３５度の枠部材８２の前面部に配設されている。
また、この透過型のフォトセンサＳＷ１から中心角が時計方向に約９０度の枠部材８２の前面部には、透過型のフォトセンサＳＷ２が、該延出部１３１を挟むように配設されている。ここで、各フォトセンサＳＷ１、ＳＷ２は、延出部１３１を挟んだ場合には、ＯＦＦ信号を出力し、延出部１３１を挟んでない場合には、ＯＮ信号を出力するように構成されている。
【００３２】
ここで、各フォトセンサＳＷ１、ＳＷ２の出力信号の一例を図１６乃至図１７に基づいて説明する。
図１６に示すように、先ず、回転用モータ１２５を駆動して回転装飾部材８３を回転させ、原点マーク９２を位置マーク９１に対向させた場合には、即ち回転装飾部材８３を回転させて原点位置に移動させた場合には、各フォトセンサＳＷ１、ＳＷ２は、延出部１３１によって遮られて共にＯＦＦ信号を出力する。
また、図１７示すように、回転用モータ１２５を駆動して回転装飾部材８３を原点位置から時計方向に約９０度回転させた場合には、フォトセンサＳＷ１は、延出部１３１によって遮られないため、ＯＮ信号を出力する。一方、フォトセンサＳＷ２は、延出部１３１の反時計方向側の端縁部によって遮られるためＯＦＦ信号を出力する。
更に、図１８に示すように、回転用モータ１２５を駆動して回転装飾部材８３を原点位置から時計方向に約１８０度回転させた場合には、フォトセンサＳＷ１は、延出部１３１の時計方向側の端縁部によって遮られるためＯＦＦ信号を出力する。一方、フォトセンサＳＷ２は、延出部１３１によって遮られないため、ＯＮ信号を出力する。
【００３３】
次に、このように構成された特別図柄表示装置４８の裏側装飾部材５０を回転駆動した一例を図１９乃至図２１に基づいて説明する。
図１９に示すように、特別図柄表示装置４８の裏側装飾部材５０を構成する回転装飾部材８３を原点位置から時計方向に約４５度回転駆動した場合には、前面側装飾部材４９の第２開口部６９を介して、液晶表示器（ＬＣＤ）５２の表示画面の右上角部に７セグメント表示部１０１が出現すると共に、その斜め右下側に電飾ランプカバー１０１Ａが出現する。また、液晶表示器（ＬＣＤ）５２の表示画面の左下角部に７セグメント表示部１００が出現すると共に、その斜め左上側に電飾ランプカバー１００Ａが出現する。
そして、図２０に示すように、特別図柄表示装置４８の裏側装飾部材５０を構成する回転装飾部材８３を原点位置から時計方向に約９０度回転駆動した場合には、前面側装飾部材４９の第２開口部６９を介して、液晶表示器（ＬＣＤ）５２の表示画面の右側端縁部の中央部に７セグメント表示部１０１が出現し、その上下に各電飾ランプカバー１０１Ａが出現する。また、液晶表示器（ＬＣＤ）５２の表示画面の左側端縁部の中央部に７セグメント表示部１００が出現し、その上下に各電飾ランプカバー１００Ａが出現する。
また、図２１に示すように、特別図柄表示装置４８の裏側装飾部材５０を構成する回転装飾部材８３を原点位置から時計方向に約１３５度回転駆動した場合には、前面側装飾部材４９の第２開口部６９を介して、液晶表示器（ＬＣＤ）５２の表示画面の右下角部に７セグメント表示部１０１が出現すると共に、その斜め右上側に電飾ランプカバー１０１Ａが出現する。また、液晶表示器（ＬＣＤ）５２の表示画面の左上角部に７セグメント表示部１００が出現すると共に、その斜め左下側に電飾ランプカバー１００Ａが出現する。
更に、特別図柄表示装置４８の裏側装飾部材５０を構成する回転装飾部材８３を原点位置から時計方向に約１８０度回転駆動した場合には、回転装飾部材８３は、前面側装飾部材４９の背面側にほぼ隠れるように配置され、第２開口部６９を介して液晶表示器５２の略横長四角形の表示画面全体を見ることができる。
【００３４】
次に、上記のように構成されたパチンコ機１の駆動制御に係る制御システムの構成について図２２乃至図２４に基づいて説明する。
図２２に示すように、パチンコ機１の駆動制御に係る制御システムは、主制御基板２９０、サブ統合制御基板２８０及び演出表示基板２６０等から構成されている。
主制御基板２９０は、ＣＰＵ２９１、ＲＯＭ２９２、ＲＡＭ２９３、及び及び入出力回路（Ｉ／Ｏ）２９４等から構成され、このＣＰＵ２９１、ＲＯＭ２９２、ＲＡＭ２９３、及び入出力回路（Ｉ／Ｏ）２９４は、バス線により相互に接続されている。また、ＣＰＵ２９１にはクロック回路２９５が接続されて所定のクロック信号が入力される。
また、ＲＡＭ２９３には、クロック回路２９５から出力されるクロック信号に基づいて０から９まで繰り返し１ずつ加算した数値（最大値９の次には最小値０に戻る）が格納される変動パターン選択カウンタ２９３Ａが設けられている。かかる変動パターン選択カウンタ２９３Ａのカウント値は、始動口スイッチ５７Ａからスイッチ信号が出力されるタイミングで読み取られる。尚、この変動パターン選択カウンタ２９３Ａのカウント値に基づいて選択される各変動パターンは、各種の表示演出に基づき一連の図柄変動を表示するパターンであり、本実施例においては、表示演出時間としてはリーチハズレの変動パターンＸ、Ｙ、Ｚとして「３０秒間」、「２０秒間」、「１５秒間」の３種類のものが設定されている。また、各大当たりの変動パターンとして「２２秒間」、「３２秒間」の２種類のものが設定されている。
【００３５】
また、図２２に示すように、サブ統合制御基板２８０には、ＣＰＵ２８１、スピーカ７や回転用モータ１２５等の駆動制御プログラム等を格納するＲＯＭ２８２、主制御基板２９０からの各種制御信号を格納するＲＡＭ２８３、主制御基板２９０から送出される各種制御信号を受信する入出力回路（Ｉ／Ｏ）２８４、スピーカ７を駆動制御する駆動回路１４１、エラー表示電飾ランプ６、各表示回路基板１００Ｂ、１０１Ｂを駆動制御する駆動回路１４２、及び回転用モータ１２５を駆動制御する駆動回路１４３等が配設されている。そして、このＣＰＵ２８１、ＲＯＭ２８２、ＲＡＭ２８３、及び入出力回路（Ｉ／Ｏ）２８４は、バス線により相互に接続されている。また、ＣＰＵ２８１にはクロック回路２８５が接続されて所定のクロック信号が入力される。また、入出力回路（Ｉ／Ｏ）２８４には、主制御基板２９０の入出力回路（Ｉ／Ｏ）２９４が接続されている。また、この入出力回路（Ｉ／Ｏ）２８４には、各駆動回路１４１、１４２、１４３が接続されている。また、この入出力回路（Ｉ／Ｏ）２８４には、ゲートスイッチ５４Ａ、始動口スイッチ５７Ａ、透過型の各フォトセンサＳＷ１、ＳＷ２、開閉扉５９を開閉する開閉扉ソレノイド５９Ａ、及びチューリップ式役物５７Ｂを開閉するソレノイド５７Ｃが接続されている。
【００３６】
また、図２３に示すように、ＲＡＭ２８３には、クロック回路２８５から入力されるクロック信号に基づいて０から１９まで繰り返し１ずつ加算した数値（最大値１９の次には最小値０に戻る）が格納される表示パターン選択カウンタ２８３Ａが設けられている。かかる表示パターン選択カウンタ２８３Ａのカウント値は、主制御基板２９０から変動パターンの指示信号が入力されるタイミングで読み取られ、その読み取られたカウント値は、パラメータ記憶エリア２８３Ｂに記憶される。
【００３７】
そしてまた、図２４に示すように、ＲＯＭ２８２には、後述のフォトセンサ出力テーブル１４５（図２５参照）が格納されるフォトセンサ出力テーブル記憶エリア２８２Ａが設けられている。また、ＲＯＭ２８２には、後述の表示パターンテーブル１４６（図２６参照）が格納される表示パターンテーブル記憶エリア２８２Ｂが設けられている。また、ＲＯＭ２８２には、後述の各表示パターンＡ、Ｂ、Ｃ、Ｄに対応して回転装飾部材８３を回転駆動する各タイムチャート（図２７参照）が格納される回転駆動タイムチャート記憶エリア２８２Ｃが設けられている。更に、ＲＯＭ２８２には、回転装飾部材８３を所定角度まで回転させるための後述の各種のサブ制御プログラム（図２８等参照）が格納されている。
【００３８】
また、図２２に示すように、演出表示基板２６０には、ＣＰＵ２６１、表示制御プログラムや所要の表示データを格納するＲＯＭ２６２、表示指令、表示情報、入出力信号等を格納するＲＡＭ２６３、サブ統合制御基板２８０から送出される各種制御信号を受信する入出力回路（Ｉ／Ｏ）２６４、及びＣＰＵ２６１から送られた表示情報を受けて液晶表示器（ＬＣＤ）５２に対して画像を加工して表示するＶＤＰ（Video Display Processor）２６５等が配設されている。そして、このＣＰＵ２６１、ＲＯＭ２６２、ＲＡＭ２６３、入出力回路（Ｉ／Ｏ）２６４、及びＶＤＰ（Video Display Processor）２６５は、バス線により相互に接続されている。また、ＣＰＵ２６１にはクロック回路２６６が接続されて所定のクロック信号が入力される。そして、ＣＰＵ２６１は、サブ統合制御基板２８０から入力される表示パターン情報等の各種制御信号に基づいて、液晶表示器５２に所定の演出表示を行う。
【００３９】
次に、サブ統合制御基板２８０のＲＯＭ２８２のフォトセンサ出力テーブル記憶エリア２８２Ａに記憶されるフォトセンサ出力テーブル１４５の一例について図２５に基づいて説明する。ここで、フォトセンサ出力テーブル１４５は、サブ統合制御基板２８０のＣＰＵ２８１が回転装飾部材８３の原点位置（０度）等の回転位置を各フォトセンサＳＷ１、ＳＷ２の出力信号によって判定する場合に使用するものである。
図２５に示すように、フォトセンサ出力テーブル１４５は、回転装飾部材８３の原点位置からの回転角度を表す「回転角度」と、回転装飾部材８３が各回転角度に位置した場合のフォトセンサＳＷ１の出力信号を表す「ＳＷ１」と、回転装飾部材８３が各回転角度に位置した場合のフォトセンサＳＷ２の出力信号を表す「ＳＷ２」とから構成されている。この「回転角度」は、回転装飾部材８３の原点マーク９２が位置マーク９１に対向した位置を原点位置（０度）とし、この原点位置から時計方向の回転角度を正の角度で表し、反時計方向の回転角度を負の角度で表す。
【００４０】
また、フォトセンサ出力テーブル１４５の「回転角度」には、「−１度」、「０度」、「１度」、・・・「８９度」、「９０度」、「９１度」、・・・「１７９度」、「１８０度」、「１８１度」、・・・の回転角度が予め格納されている。
また、フォトセンサ出力テーブル１４５の「ＳＷ１」には、「回転角度」の「−１度」及び「０度」に対応して「ＯＦＦ」、「回転角度」の「１度」に対応して「ＯＮ」、・・・、「回転角度」の「８９度」、「９０度」及び「９１度」に対応して「ＯＮ」、・・・、「回転角度」の「１７９度」に対応して「ＯＮ」、「回転角度」の「１８０度」及び「１８１度」に対応して「ＯＦＦ」、・・・のフォトセンサＳＷ１の出力信号が予め格納されている。
また、フォトセンサ出力テーブル１４５の「ＳＷ２」には、「回転角度」の「−１度」、「０度」及び「１度」に対応して「ＯＦＦ」、・・・、「回転角度」の「８９度」に対応して「ＯＦＦ」、「回転角度」の「９０度」及び「９１度」に対応して「ＯＮ」、・・・、「回転角度」の「１７９度」、「１８０度」及び「１８１度」に対応して「ＯＮ」、・・・のフォトセンサＳＷ２の出力信号が予め格納されている。
【００４１】
次に、サブ統合制御基板２８０のＲＯＭ２８２の表示パターンテーブル記憶エリア２８２Ｂに記憶される表示パターンテーブル１４６の一例について図２６に基づいて説明する。ここで、表示パターンテーブル１４６は、サブ統合制御基板２８０のＣＰＵ２８１が、主制御基板２９０のＣＰＵ２９１から変動パターンの指示信号を入力された際に、この変動パターンの指示信号に対応して演出表示基板２６０のＣＰＵ２６１に指示する表示パターンを選択する場合に使用するものである。
以下、主制御基板２９０のＣＰＵ２９１から変動パターンの一例として「変動パターンＸ」の指示信号が入力された場合に使用する表示パターンテーブル１４６について説明する。
図２６に示すように、表示パターンテーブル１４６は、主制御基板２９０のＣＰＵ２９１から入力された変動パターンの指示信号を表す「指示信号」と、指示信号が入力された際の表示パターン選択カウンタ２８３Ａのカウント値を表す「カウント値」と、この「カウント値」に対応する「表示パターン」とから構成されている。この「表示パターン」は、演出表示基板２６０のＣＰＵ２６１に対して液晶表示器（ＬＣＤ）５２に演出表示するように指示する表示パターンである。
【００４２】
また、表示パターンテーブル１４６の「指示信号」には、変動パターンの一例として「変動パターンＸ」が予め格納されている。
また、表示パターンテーブル１４６の「カウント値」には、「変動パターンＸ」に対応して「０〜４」、「５〜９」、「１０〜１４」、「１５〜１９」の４種類のカウント値が予め格納されている。
また、表示パターンテーブル１４６の「表示パターン」には、「カウント値」の「０〜４」に対応して「表示パターンＡ」、「カウント値」の「５〜９」に対応して「表示パターンＢ」、「カウント値」の「１０〜１４」に対応して「表示パターンＣ」、「カウント値」の「１５〜１９」に対応して「表示パターンＤ」が予め格納されている。
尚、各表示パターンＡ〜Ｄの演出表示時間は、すべて同一時間である（例えば、約３０秒である。）。
【００４３】
次に、サブ統合制御基板２８０のＲＯＭ２８２の回転駆動タイムチャート記憶エリア２８２Ｃに記憶される回転装飾部材８３を回転駆動するタイムチャートの一例について図２７に基づいて説明する。
ここで、サブ統合制御基板２８０のＣＰＵ２８１は、演出表示基板２６０のＣＰＵ２６１に表示パターンを指示して、演出表示開始信号を出力した場合には、この指示した表示パターンに対応するタイムチャートを回転駆動タイムチャート記憶エリア２８２Ｃから読み込み、回転装飾部材８３をこのタイムチャートに従って回転駆動する。そして、タイムチャートの終了時間、即ち、表示パターンの演出終了時間に達した場合には、ＣＰＵ２８１はＣＰＵ２６１に対して演出表示確定信号を出力する。
以下、サブ統合制御基板２８０のＣＰＵ２８１が、演出表示基板２６０のＣＰＵ２６１に指示する各表示パターンＡ〜Ｄのそれぞれに対応する各タイムチャートについて説明する。尚、各表示パターンＡ〜Ｄの演出表示時間は時間Ｔ３（秒）（例えば、Ｔ３＝３０（秒））である。
【００４４】
図２７（Ａ）に示すように、表示パターンＡに対応するタイムチャート１４８の場合には、ＣＰＵ２８１は、時間０秒から時間Ｔ１秒において、（９０÷Ｔ１）（度／秒）の回転速度で後述の「０度〜９０度回転処理」のサブ処理を実行し、回転装飾部材８３を原点位置（０度）から時計方向約９０度まで回転駆動する。
そして、ＣＰＵ２８１は、時間Ｔ１秒から時間Ｔ２秒において、後述の「９０度揺動処理」のサブ処理を実行し、回転装飾部材８３を時計方向９０度まで回転した位置で揺動駆動する。
続いて、ＣＰＵ２８１は、時間Ｔ２秒から時間Ｔ３秒において、（９０÷（Ｔ３−Ｔ２））（度／秒）の回転速度で後述の「９０度〜０度回転処理」のサブ処理を実行し、回転装飾部材８３を時計方向約９０度に回転した位置から原点位置（０度）まで反時計方向に回転駆動して処理を終了する。
【００４５】
また、図２７（Ｂ）に示すように、表示パターンＢに対応するタイムチャート１４９の場合には、ＣＰＵ２８１は、時間０秒から時間Ｔ３秒において、回転装飾部材８３を原点位置（０度）に停止させて処理を終了する。
また、図２７（Ｃ）に示すように、表示パターンＣに対応するタイムチャート１５０の場合には、ＣＰＵ２８１は、時間０秒から時間Ｔ４秒において、回転装飾部材８３を原点位置（０度）に停止させる。
そして、ＣＰＵ２８１は、時間Ｔ４秒から時間Ｔ５秒において、（１８０÷（Ｔ５−Ｔ４））（度／秒）の回転速度で後述の「０度〜１８０度回転処理」のサブ処理を実行し、回転装飾部材８３を原点位置（０度）から時計方向約１８０度まで回転駆動する。
続いて、ＣＰＵ２８１は、時間Ｔ５秒から時間Ｔ３秒において、（１８０÷（Ｔ３−Ｔ５））（度／秒）の回転速度で後述の「１８０度〜０度回転処理」のサブ処理を実行し、回転装飾部材８３を時計方向約１８０度に回転した位置から原点位置（０度）まで反時計方向に回転駆動して処理を終了する。
【００４６】
また、図２７（Ｄ）に示すように、表示パターンＤに対応するタイムチャート１５１の場合には、ＣＰＵ２８１は、時間０秒から時間Ｔ６秒において、（１８０÷Ｔ６）（度／秒）の回転速度で後述の「０度〜１８０度回転処理」のサブ処理を実行し、回転装飾部材８３を原点位置（０度）から時計方向約１８０度まで回転駆動する。
そして、ＣＰＵ２８１は、時間Ｔ６秒から時間Ｔ７秒において、回転装飾部材８３を時計方向約１８０度まで回転した位置に停止させる。
続いて、ＣＰＵ２８１は、時間Ｔ７秒から時間Ｔ８秒において、後述の「１８０度揺動処理」のサブ処理を実行し、回転装飾部材８３を時計方向１８０度まで回転した位置で揺動駆動する。
そしてまた、ＣＰＵ２８１は、時間Ｔ８秒から時間Ｔ９秒において、回転装飾部材８３を時計方向約１８０度まで回転した位置に停止させる。
その後、ＣＰＵ２８１は、時間Ｔ９秒から時間Ｔ３秒において、（１８０÷（Ｔ３−Ｔ９））（度／秒）の回転速度で後述の「１８０度〜０度回転処理」のサブ処理を実行し、回転装飾部材８３を時計方向約１８０度に回転した位置から原点位置（０度）まで反時計方向に回転駆動して処理を終了する。
【００４７】
次に、サブ統合制御基板２８０のＣＰＵ２８１が、回転装飾部材８３を原点位置（０度）から時計方向約９０度まで回転駆動する際に実行する「０度〜９０度回転処理」のサブ処理について図２８に基づいて説明する。
図２８に示すように、先ず、ステップ（以下、Ｓという）１において、ＣＰＵ２８１は、各フォトセンサＳＷ１、ＳＷ２からの入力信号がＯＦＦか否かを判定する判定処理を実行する。
そして、各フォトセンサＳＷ１、ＳＷ２からの入力信号が共にＯＦＦでない場合には（Ｓ１：ＮＯ）、Ｓ２において、ＣＰＵ２８１は、回転装飾部材８３が原点位置（０度）に位置していないと判定し、異常処理を行うサブ処理を実行する。
一方、各フォトセンサＳＷ１、ＳＷ２からの入力信号が共にＯＦＦの場合には（Ｓ１：ＹＥＳ）、Ｓ３において、ＣＰＵ２８１は、駆動回路１４３を介して回転用モータ１２５を所定回転速度で時計方向に正回転させ、回転装飾部材８３を駆動時間に対応した回転速度（例えば、（９０÷Ｔ１）（度／秒）の回転速度である。）で時計方向に回転駆動する。
【００４８】
また、Ｓ４において、ＣＰＵ２８１は、回転用モータ１２５の正回転開始から所定時間（例えば、約１秒〜３秒である。）経過後、フォトセンサＳＷ１からの入力信号がＯＮか否かを判定する判定処理を実行する。そして、フォトセンサＳＷ１からの入力信号がＯＮでない場合、即ちＯＦＦの場合には（Ｓ４：ＮＯ）、ＣＰＵ２８１は、回転装飾部材８３が回転していないと判定して、Ｓ２以降の処理を実行する。
他方、フォトセンサＳＷ１からの入力信号がＯＮの場合には（Ｓ４：ＹＥＳ）、ＣＰＵ２８１は、回転装飾部材８３が時計方向に回転していると判定して、Ｓ５において、フォトセンサＳＷ２からの入力信号がＯＦＦからＯＮに変化したか否か、即ち、回転装飾部材８３が時計方向に約９０度回転したか否かを判定する判定処理を実行する。
そして、フォトセンサＳＷ２からの入力信号がＯＦＦからＯＮに変化していない場合には（Ｓ５：ＮＯ）、ＣＰＵ２８１は、回転装飾部材８３が時計方向に未だ９０度回転していないと判定して、再度、Ｓ３以降の処理を実行する。
一方、フォトセンサＳＷ２からの入力信号がＯＦＦからＯＮに変化した場合には（Ｓ５：ＹＥＳ）、ＣＰＵ２８１は、回転装飾部材８３が原点位置から時計方向に約９０度回転したと判定して、Ｓ６において、駆動回路１４３を介して回転用モータ１２５の回転駆動を停止後、当該サブ処理を終了してメインフローチャートに戻る。
尚、ＣＰＵ２８１は、上記Ｓ４の処理を実行することなく、Ｓ３の処理を実行後、続けてＳ５の処理を実行するようにしてもよい。
【００４９】
次に、サブ統合制御基板２８０のＣＰＵ２８１が、回転装飾部材８３を時計方向約９０度まで回転した位置から反時計方向に原点位置（０度）まで回転駆動する際に実行する「９０度〜０度回転処理」のサブ処理について図２９に基づいて説明する。
図２９に示すように、Ｓ１１において、ＣＰＵ２８１は、各フォトセンサＳＷ１、ＳＷ２からの入力信号がＯＮか否かを判定する判定処理を実行する。
そして、各フォトセンサＳＷ１、ＳＷ２からの入力信号が共にＯＮでない場合には（Ｓ１１：ＮＯ）、Ｓ１２において、ＣＰＵ２８１は、回転装飾部材８３が時計方向約９０度まで回転した位置に位置していないと判定し、異常処理を行うサブ処理を実行する。
一方、各フォトセンサＳＷ１、ＳＷ２からの入力信号が共にＯＮの場合には（Ｓ１１：ＹＥＳ）、Ｓ１３において、ＣＰＵ２８１は、駆動回路１４３を介して回転用モータ１２５を所定回転速度で反時計方向に逆回転させ、回転装飾部材８３を駆動時間に対応した回転速度（例えば、（９０÷（Ｔ３−Ｔ２））（度／秒）の回転速度である。）で反時計方向に回転駆動する。
【００５０】
また、Ｓ１４において、ＣＰＵ２８１は、回転用モータ１２５の逆回転開始から所定時間（例えば、約１秒〜３秒である。）経過後、フォトセンサＳＷ２からの入力信号がＯＦＦか否かを判定する判定処理を実行する。そして、フォトセンサＳＷ２からの入力信号がＯＦＦでない場合、即ちＯＮの場合には（Ｓ１４：ＮＯ）、ＣＰＵ２８１は、回転装飾部材８３が回転していないと判定して、Ｓ１２以降の処理を実行する。
他方、フォトセンサＳＷ２からの入力信号がＯＦＦの場合には（Ｓ１４：ＹＥＳ）、ＣＰＵ２８１は、回転装飾部材８３が反時計方向に回転していると判定して、Ｓ１５において、フォトセンサＳＷ１からの入力信号がＯＮからＯＦＦに変化したか否か、即ち、回転装飾部材８３が回転開始から反時計方向に約９０度回転して原点位置（０度）に達したか否かを判定する判定処理を実行する。
そして、フォトセンサＳＷ１からの入力信号がＯＮからＯＦＦに変化していない場合には（Ｓ１５：ＮＯ）、ＣＰＵ２８１は、回転装飾部材８３が回転開始から反時計方向に未だ９０度回転していないと判定して、再度、Ｓ１３以降の処理を実行する。
一方、フォトセンサＳＷ１からの入力信号がＯＮからＯＦＦに変化した場合には（Ｓ１５：ＹＥＳ）、ＣＰＵ２８１は、回転装飾部材８３が回転開始から反時計方向に約９０度回転して原点位置（０度）に達したと判定して、Ｓ１６において、駆動回路１４３を介して回転用モータ１２５の回転駆動を停止後、当該サブ処理を終了してメインフローチャートに戻る。
尚、ＣＰＵ２８１は、上記Ｓ１４の処理を実行することなく、Ｓ１３の処理を実行後、続けてＳ１５の処理を実行するようにしてもよい。
【００５１】
次に、サブ統合制御基板２８０のＣＰＵ２８１が、回転装飾部材８３を原点位置（０度）から時計方向約１８０度まで回転駆動する際に実行する「０度〜１８０度回転処理」のサブ処理について図３０に基づいて説明する。
図３０に示すように、Ｓ２１において、ＣＰＵ２８１は、各フォトセンサＳＷ１、ＳＷ２からの入力信号がＯＦＦか否かを判定する判定処理を実行する。
そして、各フォトセンサＳＷ１、ＳＷ２からの入力信号が共にＯＦＦでない場合には（Ｓ２１：ＮＯ）、Ｓ２２において、ＣＰＵ２８１は、回転装飾部材８３が原点位置（０度）に位置していないと判定し、異常処理を行うサブ処理を実行する。
一方、各フォトセンサＳＷ１、ＳＷ２からの入力信号が共にＯＦＦの場合には（Ｓ２１：ＹＥＳ）、Ｓ２３において、ＣＰＵ２８１は、駆動回路１４３を介して回転用モータ１２５を所定回転速度で時計方向に正回転させ、回転装飾部材８３を駆動時間に対応した回転速度（例えば、（１８０÷Ｔ６）（度／秒）の回転速度である。）で時計方向に回転駆動する。
【００５２】
また、Ｓ２４において、ＣＰＵ２８１は、回転用モータ１２５の正回転開始から所定時間（例えば、約１秒〜３秒である。）経過後、フォトセンサＳＷ１からの入力信号がＯＮか否かを判定する判定処理を実行する。そして、フォトセンサＳＷ１からの入力信号がＯＮでない場合、即ちＯＦＦの場合には（Ｓ２４：ＮＯ）、ＣＰＵ２８１は、回転装飾部材８３が回転していないと判定して、Ｓ２２以降の処理を実行する。
他方、フォトセンサＳＷ１からの入力信号がＯＮの場合には（Ｓ２４：ＹＥＳ）、ＣＰＵ２８１は、回転装飾部材８３が時計方向に回転していると判定して、Ｓ２５において、フォトセンサＳＷ２からの入力信号がＯＦＦからＯＮに変化したか否か、即ち、回転装飾部材８３が原点位置から時計方向に約９０度回転したか否かを判定する判定処理を実行する。
そして、フォトセンサＳＷ２からの入力信号がＯＦＦからＯＮに変化していない場合には（Ｓ２５：ＮＯ）、ＣＰＵ２８１は、回転装飾部材８３が原点位置から時計方向に未だ９０度回転していないと判定して、再度、Ｓ２３以降の処理を実行する。
【００５３】
一方、フォトセンサＳＷ２からの入力信号がＯＦＦからＯＮに変化した場合には（Ｓ２５：ＹＥＳ）、ＣＰＵ２８１は、回転装飾部材８３が原点位置から時計方向に約９０度回転したと判定して、Ｓ２６において、各フォトセンサＳＷ１、ＳＷ２からの入力信号がＯＮか否かを判定する判定処理を実行する。
そして、各フォトセンサＳＷ１、ＳＷ２からの入力信号が共にＯＮでない場合には（Ｓ２６：ＮＯ）、ＣＰＵ２８１は、故障したと判定し、Ｓ２２以降の処理を実行する。
他方、各フォトセンサＳＷ１、ＳＷ２からの入力信号が共にＯＮの場合には（Ｓ２６：ＹＥＳ）、Ｓ２７において、ＣＰＵ２８１は、駆動回路１４３を介して回転用モータ１２５を所定回転速度で時計方向に更に正回転させ、回転装飾部材８３を駆動時間に対応した回転速度（例えば、（１８０÷Ｔ６）（度／秒）の回転速度である。）で時計方向に回転駆動する。
【００５４】
また、Ｓ２８において、ＣＰＵ２８１は、回転用モータ１２５の更なる正回転の開始から所定時間（例えば、約１秒〜３秒である。）経過後、フォトセンサＳＷ２からの入力信号がＯＮか否かを判定する判定処理を実行する。そして、フォトセンサＳＷ２からの入力信号がＯＮでない場合、即ちＯＦＦの場合には（Ｓ２８：ＮＯ）、ＣＰＵ２８１は、故障したと判定して、Ｓ２２以降の処理を実行する。
他方、フォトセンサＳＷ２からの入力信号がＯＮの場合には（Ｓ２８：ＹＥＳ）、ＣＰＵ２８１は、回転装飾部材８３が更に時計方向に回転していると判定して、Ｓ２９において、フォトセンサＳＷ１からの入力信号がＯＮからＯＦＦに変化したか否か、即ち、回転装飾部材８３が原点位置から時計方向に約１８０度回転したか否かを判定する判定処理を実行する。
そして、フォトセンサＳＷ１からの入力信号がＯＮからＯＦＦに変化していない場合には（Ｓ２９：ＮＯ）、ＣＰＵ２８１は、回転装飾部材８３が原点位置から時計方向に未だ１８０度回転していないと判定して、再度、Ｓ２７以降の処理を実行する。
一方、フォトセンサＳＷ１からの入力信号がＯＮからＯＦＦに変化した場合には（Ｓ２９：ＹＥＳ）、ＣＰＵ２８１は、回転装飾部材８３が原点位置から時計方向に約１８０度回転したと判定して、Ｓ３０において、駆動回路１４３を介して回転用モータ１２５の回転駆動を停止後、当該サブ処理を終了してメインフローチャートに戻る
尚、ＣＰＵ２８１は、上記Ｓ２４の処理を実行することなく、Ｓ２３の処理を実行後、続けてＳ２５の処理を実行するようにしてもよい。また、ＣＰＵ２８１は、上記Ｓ２８の処理を実行することなく、Ｓ２７の処理を実行後、続けてＳ２９の処理を実行するようにしてもよい。
【００５５】
次に、サブ統合制御基板２８０のＣＰＵ２８１が、回転装飾部材８３を時計方向約１８０度まで回転した位置から反時計方向に原点位置（０度）まで回転駆動する際に実行する「１８０度〜０度回転処理」のサブ処理について図３１に基づいて説明する。
図３１に示すように、Ｓ４１において、ＣＰＵ２８１は、フォトセンサＳＷ１からの入力信号がＯＦＦで、且つフォトセンサＳＷ２からの入力信号がＯＮか否かを判定する判定処理を実行する。
そして、フォトセンサＳＷ１からの入力信号がＯＦＦで、且つフォトセンサＳＷ２からの入力信号がＯＮでない場合には（Ｓ４１：ＮＯ）、Ｓ４２において、ＣＰＵ２８１は、回転装飾部材８３が原点位置（０度）から時計方向約１８０度まで回転した位置に位置していないと判定し、異常処理を行うサブ処理を実行する。
一方、フォトセンサＳＷ１からの入力信号がＯＦＦで、且つフォトセンサＳＷ２からの入力信号がＯＮの場合には（Ｓ４１：ＹＥＳ）、Ｓ４３において、ＣＰＵ２８１は、駆動回路１４３を介して回転用モータ１２５を所定回転速度で反時計方向に逆回転させ、回転装飾部材８３を駆動時間に対応した回転速度（例えば、（１８０÷（Ｔ３−Ｔ９））（度／秒）の回転速度である。）で反時計方向に回転駆動する。
【００５６】
また、Ｓ４４において、ＣＰＵ２８１は、回転用モータ１２５の逆回転開始から所定時間（例えば、約１秒〜３秒である。）経過後、フォトセンサＳＷ１からの入力信号がＯＮか否かを判定する判定処理を実行する。そして、フォトセンサＳＷ１からの入力信号がＯＮでない場合、即ちＯＦＦの場合には（Ｓ４４：ＮＯ）、ＣＰＵ２８１は、回転装飾部材８３が回転していないと判定して、Ｓ４２以降の処理を実行する。
他方、フォトセンサＳＷ１からの入力信号がＯＮの場合には（Ｓ４４：ＹＥＳ）、ＣＰＵ２８１は、回転装飾部材８３が反時計方向に回転していると判定して、Ｓ４５において、フォトセンサＳＷ２からの入力信号がＯＮからＯＦＦに変化したか否か、即ち、回転装飾部材８３が回転開始から反時計方向に約９０度回転し、原点位置（０度）から時計方向に約９０度回転した位置に達したか否かを判定する判定処理を実行する。
そして、フォトセンサＳＷ２からの入力信号がＯＮからＯＦＦに変化していない場合には（Ｓ４５：ＮＯ）、ＣＰＵ２８１は、回転装飾部材８３が回転開始から反時計方向に未だ９０度回転していないと判定して、再度、Ｓ４３以降の処理を実行する。
【００５７】
一方、フォトセンサＳＷ２からの入力信号がＯＮからＯＦＦに変化した場合には（Ｓ４５：ＹＥＳ）、Ｓ４６において、ＣＰＵ２８１は、フォトセンサＳＷ１からの入力信号がＯＮで、且つフォトセンサＳＷ２からの入力信号がＯＦＦか否かを判定する判定処理を実行する。
そして、フォトセンサＳＷ１からの入力信号がＯＮで、且つフォトセンサＳＷ２からの入力信号がＯＦＦでない場合には（Ｓ４６：ＮＯ）、ＣＰＵ２８１は、故障したと判定し、Ｓ４２以降の処理を実行する。
他方、フォトセンサＳＷ１からの入力信号がＯＮで、且つフォトセンサＳＷ２からの入力信号がＯＦＦの場合には（Ｓ４６：ＹＥＳ）、Ｓ４７において、ＣＰＵ２８１は、駆動回路１４３を介して回転用モータ１２５を所定回転速度で反時計方向に更に逆回転させ、回転装飾部材８３を駆動時間に対応した回転速度（例えば、（１８０÷（Ｔ３−Ｔ９））（度／秒）の回転速度である。）で反時計方向に更に回転駆動する。
【００５８】
また、Ｓ４８において、ＣＰＵ２８１は、回転用モータ１２５の更なる逆回転の開始から所定時間（例えば、約１秒〜３秒である。）経過後、フォトセンサＳＷ２からの入力信号がＯＦＦか否かを判定する判定処理を実行する。そして、フォトセンサＳＷ２からの入力信号がＯＦＦでない場合、即ちＯＮの場合には（Ｓ４８：ＮＯ）、ＣＰＵ２８１は、故障したと判定して、Ｓ４２以降の処理を実行する。
他方、フォトセンサＳＷ２からの入力信号がＯＦＦの場合には（Ｓ４８：ＹＥＳ）、ＣＰＵ２８１は、回転装飾部材８３が更に反時計方向に回転していると判定して、Ｓ４９において、フォトセンサＳＷ１からの入力信号がＯＮからＯＦＦに変化したか否か、即ち、回転装飾部材８３が回転開始から反時計方向に約１８０度回転して、原点位置に達したか否かを判定する判定処理を実行する。
そして、フォトセンサＳＷ１からの入力信号がＯＮからＯＦＦに変化していない場合には（Ｓ４９：ＮＯ）、ＣＰＵ２８１は、回転装飾部材８３が回転開始から反時計方向に未だ１８０度回転していないと判定して、再度、Ｓ４７以降の処理を実行する。
一方、フォトセンサＳＷ１からの入力信号がＯＮからＯＦＦに変化した場合には（Ｓ４９：ＹＥＳ）、ＣＰＵ２８１は、回転装飾部材８３が回転開始から反時計方向に約１８０度回転して、原点位置に達したと判定して、Ｓ５０において、駆動回路１４３を介して回転用モータ１２５の回転駆動を停止後、当該サブ処理を終了してメインフローチャートに戻る
尚、ＣＰＵ２８１は、上記Ｓ４４の処理を実行することなく、Ｓ４３の処理を実行後、続けてＳ４５の処理を実行するようにしてもよい。また、ＣＰＵ２８１は、上記Ｓ４８の処理を実行することなく、Ｓ４７の処理を実行後、続けてＳ４９の処理を実行するようにしてもよい。
【００５９】
次に、サブ統合制御基板２８０のＣＰＵ２８１が回転装飾部材８３を原点位置から時計方向約９０度まで回転した位置から更に時計方向に約９０度回転した位置まで、即ち原点位置から時計方向約１８０度まで回転した位置へ回転駆動する際に実行する「９０度〜１８０度回転処理」のサブ処理について図３２に基づいて説明する。
図３２に示すように、Ｓ６１において、各フォトセンサＳＷ１、ＳＷ２からの入力信号がＯＮか否かを判定する判定処理を実行する。
そして、各フォトセンサＳＷ１、ＳＷ２からの入力信号が共にＯＮでない場合には（Ｓ６１：ＮＯ）、ＣＰＵ２８１は、故障したと判定し、Ｓ６２以降の処理を実行する。
他方、各フォトセンサＳＷ１、ＳＷ２からの入力信号が共にＯＮの場合には（Ｓ６１：ＹＥＳ）、Ｓ６３において、ＣＰＵ２８１は、駆動回路１４３を介して回転用モータ１２５を所定回転速度で時計方向に正回転させ、回転装飾部材８３を駆動時間に対応した回転速度（例えば、（１８０÷Ｔ６）（度／秒）の回転速度である。）で時計方向に回転駆動する。
【００６０】
また、Ｓ６４において、ＣＰＵ２８１は、フォトセンサＳＷ１からの入力信号がＯＮからＯＦＦに変化したか否か、即ち、回転装飾部材８３が原点位置から時計方向に約１８０度回転した位置に達したか否かを判定する判定処理を実行する。
そして、フォトセンサＳＷ１からの入力信号がＯＮからＯＦＦに変化していない場合には（Ｓ６４：ＮＯ）、ＣＰＵ２８１は、回転装飾部材８３が原点位置から時計方向に１８０度回転した位置に達していないと判定して、再度、Ｓ６３以降の処理を実行する。
一方、フォトセンサＳＷ１からの入力信号がＯＮからＯＦＦに変化した場合には（Ｓ６４：ＹＥＳ）、ＣＰＵ２８１は、回転装飾部材８３が原点位置から時計方向に約１８０度回転した位置に達したと判定して、Ｓ６５において、駆動回路１４３を介して回転用モータ１２５の回転駆動を停止後、当該サブ処理を終了してメインフローチャートに戻る
【００６１】
次に、サブ統合制御基板２８０のＣＰＵ２８１が回転装飾部材８３を原点位置から時計方向約１８０度まで回転した位置から反時計方向約９０度回転した位置まで、即ち原点位置から時計方向約９０度まで回転した位置へ回転駆動する際に実行する「１８０度〜９０度回転処理」のサブ処理について図３３に基づいて説明する。
図３３に示すように、Ｓ７１において、ＣＰＵ２８１は、フォトセンサＳＷ１からの入力信号がＯＦＦで、且つフォトセンサＳＷ２からの入力信号がＯＮか否かを判定する判定処理を実行する。
そして、フォトセンサＳＷ１からの入力信号がＯＦＦで、且つフォトセンサＳＷ２からの入力信号がＯＮでない場合には（Ｓ７１：ＮＯ）、Ｓ７２において、ＣＰＵ２８１は、回転装飾部材８３が原点位置（０度）から時計方向約１８０度まで回転した位置に位置していないと判定し、異常処理を行うサブ処理を実行する。
一方、フォトセンサＳＷ１からの入力信号がＯＦＦで、且つフォトセンサＳＷ２からの入力信号がＯＮの場合には（Ｓ７１：ＹＥＳ）、Ｓ７３において、ＣＰＵ２８１は、駆動回路１４３を介して回転用モータ１２５を所定回転速度で反時計方向に逆回転させ、回転装飾部材８３を駆動時間に対応した回転速度（例えば、（１８０÷（Ｔ３−Ｔ９））（度／秒）の回転速度である。）で反時計方向に回転駆動する。
【００６２】
また、Ｓ７４において、ＣＰＵ２８１は、回転用モータ１２５の逆回転開始から所定時間（例えば、約１秒〜３秒である。）経過後、フォトセンサＳＷ１からの入力信号がＯＮか否かを判定する判定処理を実行する。そして、フォトセンサＳＷ１からの入力信号がＯＮでない場合、即ちＯＦＦの場合には（Ｓ７４：ＮＯ）、ＣＰＵ２８１は、回転装飾部材８３が回転していないと判定して、Ｓ７２以降の処理を実行する。
他方、フォトセンサＳＷ１からの入力信号がＯＮの場合には（Ｓ７４：ＹＥＳ）、ＣＰＵ２８１は、回転装飾部材８３が反時計方向に回転していると判定して、Ｓ７５において、フォトセンサＳＷ２からの入力信号がＯＮからＯＦＦに変化したか否か、即ち、回転装飾部材８３が回転開始から反時計方向に約９０度回転し、原点位置（０度）から時計方向に約９０度回転した位置に達したか否かを判定する判定処理を実行する。
そして、フォトセンサＳＷ２からの入力信号がＯＮからＯＦＦに変化していない場合には（Ｓ７５：ＮＯ）、ＣＰＵ２８１は、回転装飾部材８３が回転開始から反時計方向に未だ９０度回転していないと判定して、再度、Ｓ７３以降の処理を実行する。
【００６３】
一方、フォトセンサＳＷ２からの入力信号がＯＮからＯＦＦに変化した場合には（Ｓ７５：ＹＥＳ）、Ｓ７６において、ＣＰＵ２８１は、駆動回路１４３を介して回転用モータ１２５の回転駆動を停止する。
そして、Ｓ７７において、ＣＰＵ２８１は、駆動回路１４３を介して回転用モータ１２５を所定回転速度で時計方向に正回転させ、回転装飾部材８３を駆動時間に対応した回転速度（例えば、（９０÷Ｔ１）（度／秒）の回転速度である。）で時計方向に回転駆動する。
また、Ｓ７８において、ＣＰＵ２８１は、各フォトセンサＳＷ１、ＳＷ２からの入力信号がＯＮか否かを判定する判定処理を実行する。そして、各フォトセンサＳＷ１、ＳＷ２からの入力信号が共にＯＮでない場合には（Ｓ７８：ＮＯ）、ＣＰＵ２８１は、再度、Ｓ７７以降の処理を実行する。
一方、各フォトセンサＳＷ１、ＳＷ２からの入力信号が共にＯＮの場合には（Ｓ７８：ＹＥＳ）、ＣＰＵ２８１は、回転装飾部材８３が原点位置から時計方向に約１８０度まで回転した位置から反時計方向約９０度回転した位置まで回転したと判定して、Ｓ７９において、駆動回路１４３を介して回転用モータ１２５の回転駆動を停止後、当該サブ処理を終了してメインフローチャートに戻る
尚、ＣＰＵ２８１は、上記Ｓ７４の処理を実行することなく、Ｓ７３の処理を実行後、続けてＳ７５の処理を実行するようにしてもよい。
【００６４】
次に、サブ統合制御基板２８０のＣＰＵ２８１が、回転装飾部材８３を原点位置（０度）から時計方向約９０度まで回転した位置において、この回転装飾部材８３を揺動させる際に実行する「９０度揺動処理」のサブ処理について図３４に基づいて説明する。
図３４に示すように、Ｓ８１において、ＣＰＵ２８１は、駆動回路１４３を介して回転用モータ１２５を所定回転速度で０．５秒間時計方向に正回転させ、回転装飾部材８３を所定回転速度（例えば、約６０度／秒の回転速度である。）で０．５秒間時計方向に回転駆動する。
尚、このＳ８１において、ＣＰＵ２８１は、駆動回路１４３を介して回転用モータ１２５を所定回転速度で０．５秒間反時計方向に逆回転させ、回転装飾部材８３を所定回転速度（例えば、約６０度／秒の回転速度である。）で０．５秒間反時計方向に回転駆動後、駆動回路１４３を介して回転用モータ１２５を所定回転速度で１．０秒間時計方向に正回転させ、回転装飾部材８３を所定回転速度（例えば、約６０度／秒の回転速度である。）で１．０秒間時計方向に回転駆動するようにしてもよい。
そして、Ｓ８２において、ＣＰＵ２８１は、駆動回路１４３を介して回転用モータ１２５を所定回転速度で１．０秒間反時計方向に逆回転させ、回転装飾部材８３を所定回転速度（例えば、約６０度／秒の回転速度である。）で１．０秒間反時計方向に回転駆動する。
そしてまた、Ｓ８３において、ＣＰＵ２８１は、駆動回路１４３を介して回転用モータ１２５を所定回転速度で１．０秒間時計方向に正回転させ、回転装飾部材８３を所定回転速度（例えば、約６０度／秒の回転速度である。）で１．０秒間時計方向に回転駆動する。
【００６５】
続いて、Ｓ８４において、ＣＰＵ２８１は、回転装飾部材８３を所定回転速度（例えば、約６０度／秒の回転速度である。）で３回往復回転駆動したか否かを判定する判定処理を実行する。そして、回転装飾部材８３を所定回転速度（例えば、約６０度／秒の回転速度である。）で３回往復回転駆動していない場合には（Ｓ８４：ＮＯ）、ＣＰＵ２８１は、再度Ｓ８２以降の処理を実行する。
他方、回転装飾部材８３を所定回転速度（例えば、約６０度／秒の回転速度である。）で３回往復回転駆動した場合には（Ｓ８４：ＹＥＳ）、Ｓ８５において、ＣＰＵ８１は、駆動回路１４３を介して回転用モータ１２５を所定回転速度で１．０秒間反時計方向に逆回転させ、回転装飾部材８３を所定回転速度（例えば、約６０度／秒の回転速度である。）で１．０秒間反時計方向に回転駆動する。
その後、Ｓ８６において、ＣＰＵ２８１は、駆動回路１４３を介して回転用モータ１２５を低速で時計方向に正回転させ、回転装飾部材８３を所定の低い回転速度（例えば、約１５度／秒の回転速度である。）で時計方向に回転駆動する。
【００６６】
また同時に、Ｓ８７において、ＣＰＵ２８１は、各フォトセンサＳＷ１、ＳＷ２からの入力信号が共にＯＮになるのを待つ（Ｓ８７：ＮＯ）。そして、各フォトセンサＳＷ１、ＳＷ２からの入力信号が共にＯＮになった場合には（Ｓ８７：ＹＥＳ）、ＣＰＵ２８１は、回転装飾部材８３が原点位置から時計方向に約９０度回転した位置に達したと判定して、Ｓ８８において、駆動回路１４３を介して回転用モータ１２５の回転駆動を停止後、当該サブ処理を終了してメインフローチャートに戻る。
【００６７】
次に、サブ統合制御基板２８０のＣＰＵ２８１が、回転装飾部材８３を原点位置（０度）から時計方向約１８０度まで回転した位置において、この回転装飾部材８３を揺動させる際に実行する「１８０度揺動処理」のサブ処理について図３５に基づいて説明する。
図３５に示すように、ＣＰＵ２８１は、Ｓ９１〜Ｓ９６において、上記Ｓ８１〜Ｓ８６において実行した処理と同一処理を実行する。
尚、このＳ９１において、ＣＰＵ２８１は、駆動回路１４３を介して回転用モータ１２５を所定回転速度で０．５秒間反時計方向に逆回転させ、回転装飾部材８３を所定回転速度（例えば、約６０度／秒の回転速度である。）で０．５秒間反時計方向に回転駆動後、駆動回路１４３を介して回転用モータ１２５を所定回転速度で１．０秒間時計方向に正回転させ、回転装飾部材８３を所定回転速度（例えば、約６０度／秒の回転速度である。）で１．０秒間時計方向に回転駆動するようにしてもよい。
また、Ｓ９７において、ＣＰＵ２８１は、フォトセンサＳＷ１からの入力信号がＯＦＦで、且つフォトセンサＳＷ２からの入力信号がＯＮになるのを待つ（Ｓ９７：ＮＯ）。そして、フォトセンサＳＷ１からの入力信号がＯＦＦで、且つフォトセンサＳＷ２からの入力信号がＯＮになった場合には（Ｓ９７：ＹＥＳ）、ＣＰＵ２８１は、回転装飾部材８３が原点位置から時計方向に約１８０度回転した位置に達したと判定して、Ｓ９８において、駆動回路１４３を介して回転用モータ１２５の回転駆動を停止後、当該サブ処理を終了してメインフローチャートに戻る。
【００６８】
次に、サブ統合制御基板２８０のＣＰＵ２８１が、起動時又はリセット時に回転装飾部材８３を初期位置（原点位置）に位置させる際に実行する「起動時回転処理」のサブ処理について図３６に基づいて説明する。
図３６に示すように、Ｓ１０１において、ＣＰＵ２８１は、フォトセンサＳＷ１からの入力信号がＯＮか否かを判定する判定処理を実行する。
そして、フォトセンサＳＷ１からの入力信号がＯＮの場合には（Ｓ１０１：ＹＥＳ）、Ｓ１０２において、ＣＰＵ２８１は、フォトセンサＳＷ２からの入力信号がＯＦＦか否かを判定する判定処理を実行する。
続いて、フォトセンサＳＷ２からの入力信号がＯＦＦでない場合、即ちフォトセンサＳＷ２からの入力信号がＯＮの場合には（Ｓ１０２：ＮＯ）、ＣＰＵ２８１は、回転装飾部材８３が原点位置（０度）から時計方向に９０度以上回転していると判断して、Ｓ１０３において、駆動回路１４３を介して回転用モータ１２５を所定回転速度で反時計方向に逆回転させ、回転装飾部材８３を所定の回転速度（例えば、６０度／秒の回転速度である。）で反時計方向に回転駆動する。
また同時に、Ｓ１０４において、ＣＰＵ２８１は、フォトセンサＳＷ２からの入力信号がＯＦＦになるのを待つ（Ｓ１０４：ＮＯ）。
【００６９】
そして、フォトセンサＳＷ２からの入力信号がＯＦＦになった場合には（Ｓ１０４：ＹＥＳ）、ＣＰＵ２８１は、回転装飾部材８３が原点位置から時計方向に約９０度回転した位置に達したと判定して、Ｓ１０５において、駆動回路１４３を介して回転用モータ１２５を低速で反時計方向に逆回転させ、回転装飾部材８３を所定の低い回転速度（例えば、約１５度／秒の回転速度である。）で時計方向に回転駆動する。
そしてまた、Ｓ１０６において、ＣＰＵ２８１は、フォトセンサＳＷ１からの入力信号がＯＦＦになるのを待つ（Ｓ１０６：ＮＯ）。
続いて、フォトセンサＳＷ１からの入力信号がＯＦＦになった場合には（Ｓ１０６：ＹＥＳ）、ＣＰＵ２８１は、回転装飾部材８３が原点位置に達したと判定して、Ｓ１０７において、駆動回路１４３を介して回転用モータ１２５の回転駆動を停止後、当該サブ処理を終了してメインフローチャートに戻る。
一方、Ｓ１０２において、フォトセンサＳＷ２からの入力信号がＯＦＦの場合には（Ｓ１０２：ＹＥＳ）、ＣＰＵ２８１は、回転装飾部材８３が原点位置から時計方向に９０度以内の回転した位置にあると判断して、Ｓ１０５以降の処理を実行後、当該サブ処理を終了してメインフローチャートに戻る。
【００７０】
他方、Ｓ１０１において、フォトセンサＳＷ１からの入力信号がＯＮでない場合、即ちフォトセンサＳＷ１からの入力信号がＯＦＦの場合には（Ｓ１０１：ＮＯ）、Ｓ１０８において、ＣＰＵ２８１は、フォトセンサＳＷ２からの入力信号がＯＦＦか否かを判定する判定処理を実行する。
そして、フォトセンサＳＷ２からの入力信号がＯＦＦの場合には（Ｓ１０８：ＹＥＳ）、ＣＰＵ２８１は、回転装飾部材８３が原点位置から反時計方向に９０度以内の回転した位置にあると判断して、Ｓ１０９において、駆動回路１４３を介して回転用モータ１２５を所定回転速度で時計方向に正回転させ、回転装飾部材８３を所定の回転速度（例えば、６０度／秒の回転速度である。）で時計方向に回転駆動する。
また同時に、Ｓ１１０において、ＣＰＵ２８１は、フォトセンサＳＷ１からの入力信号がＯＮになるのを待つ（Ｓ１１０：ＮＯ）。
【００７１】
そして、フォトセンサＳＷ１からの入力信号がＯＮになった場合には（Ｓ１１０：ＹＥＳ）、ＣＰＵ２８１は、回転装飾部材８３が原点位置から時計方向に少し回転した位置にあると判断して、Ｓ１０５以降の処理を実行後、当該サブ処理を終了してメインフローチャートに戻る。
また一方、Ｓ１０８において、フォトセンサＳＷ２からの入力信号がＯＦＦでない場合、即ちフォトセンサＳＷ２からの入力信号がＯＮの場合には（Ｓ１０８：ＮＯ）、ＣＰＵ２８１は、回転装飾部材８３が原点位置から時計方向に１８０度以上回転した位置にあると判断して、Ｓ１０３以降の処理を実行後、当該サブ処理を終了してメインフローチャートに戻る。
【００７２】
ここで、液晶表示器（ＬＣＤ）５２は、映像表示装置として機能する。また、回転装飾部材８３及び回転カバー部材８４は、回転装飾部材を構成する。また、各７セグメント表示部１００、１０１、各電飾ランプカバー１００Ａ、１０１Ａ、及び各表示回路基板１００Ｂ、１０１は、電気的表示装置として機能する。また、ピニオンギヤ１２６及び各アイドルギヤ１２７、１２８は、ギヤ列を構成する。また、回転用モータ１２５、ピニオンギヤ１２６、各アイドルギヤ１２７、１２８、及び回転ギヤ部１２９は、回転手段を構成する。また、フォトセンサＳＷ１は、第１検出センサとして機能する。また、フォトセンサＳＷ２は、第２検出センサとして機能する。また、フォトセンサＳＷ１、フォトセンサＳＷ２は、検出手段を構成する。また、ＣＰＵ２８１、ＲＯＭ２８２、ＲＡＭ２８３は、回転制御手段を構成する。
【００７３】
従って、本実施例に係るパチンコ機１では、遊技盤４１の中央部に開設された第１開口部４７の前面側に設けられて前面部を装飾する前面側装飾部材４９の中央部には、略横長四角形の第２開口部６９が形成されている。また、この前面側装飾部材４９の背面側に配置される裏側装飾部材５０に、正面視略円形で回転可能に設けられ、回転用モータ１２５等によって回転駆動される。そして、回転装飾部材８３の中央部には、略横長四角形の第４開口部８７が形成されている。また、この第４開口部８７の相対向する長辺側の外周部前面側に各７セグメント表示部１００、１０１が設けられている。そして、この第２開口部６９と第４開口部８７とは略同一の大きさで相対向するように配置されている。
また、この回転装飾部材８３の外周端縁部には、中心角１８０度に渡って半径方向外側に所定長さ延出された正面視半円弧状の延出部１３１が設けられている。また、枠部材８２の延出部１３１に対向する円周上には、該回転装飾部材８３が原点位置に位置する場合に、延出部１３１の正面視反時計方向の周方向端縁部に対向するように配置されて該延出部１３１の有・無を検出するフォトセンサＳＷ１と、このフォトセンサＳＷ１に対して中心角が正面視時計方向９０度の位置で、該延出部１３１に対向するように配置されて該延出部１３１の有・無を検出するフォトセンサＳＷ２とが設けられ、このフォトセンサＳＷ１とフォトセンサＳＷ２とを介して回転装飾部材８３の原点位置からの回転位置が検出される。また、回転装飾部材８３は外周部に回転ギヤ部１２９が形成され、アイドルギヤ１２８、アイドルギヤ１２７及びピニオンギヤ１２６を介して回転用モータ１２５によって回転駆動される。
【００７４】
そして、起動時又はリセット時に、フォトセンサＳＷ１がＯＮで、且つフォトセンサＳＷ２がＯＮの場合には、ＣＰＵ２８１は、フォトセンサＳＷ２がＯＦＦになるまで回転用モータ１２５を所定回転速度で逆回転駆動して、回転装飾部材８３を正面視反時計方向に回転駆動する（Ｓ１０１：ＹＥＳ、Ｓ１０２：ＮＯ〜Ｓ１０３）。続いて、このフォトセンサＳＷ２がＯＦＦになった場合には、ＣＰＵ２８１は、回転用モータ１２５を低速逆回転駆動して、回転装飾部材８３を正面視反時計方向に低速回転駆動する（Ｓ１０４：ＹＥＳ〜Ｓ１０５）。その後、フォトセンサＳＷ１がＯＦＦになった場合には、ＣＰＵ２８１は、回転用モータ１２５を停止して、該回転装飾部材８３を原点位置に停止させる（Ｓ１０６：ＹＥＳ〜Ｓ１０７）。
また、起動時又はリセット時に、フォトセンサＳＷ１がＯＮで、且つフォトセンサＳＷ２がＯＦＦの場合には、ＣＰＵ２８１は、回転用モータ１２５を低速回転速度で逆回転駆動して、回転装飾部材８３を正面視反時計方向に低速回転駆動する（Ｓ１０１：ＹＥＳ、Ｓ１０２：ＹＥＳ〜Ｓ１０５）。その後、フォトセンサＳＷ１がＯＦＦになった場合には、ＣＰＵ２８１は、回転用モータ１２５を停止して、該回転装飾部材８３を原点位置に停止させる（Ｓ１０６：ＹＥＳ〜Ｓ１０７）。
また、起動時又はリセット時に、フォトセンサＳＷ１がＯＦＦで、且つフォトセンサＳＷ２がＯＦＦの場合には、ＣＰＵ２８１は、フォトセンサＳＷ１がＯＮになるまで回転用モータ１２５を所定回転速度で正回転駆動して、回転装飾部材８３を正面視時計方向に回転駆動する（Ｓ１０１：ＮＯ、Ｓ１０８：ＹＥＳ〜Ｓ１０９）。続いて、このフォトセンサＳＷ１がＯＮになった場合には、ＣＰＵ２８１は、回転用モータ１２５を低速回転速度で逆回転駆動して、回転装飾部材８３を正面視反時計方向に低速回転駆動する（Ｓ１１０：ＹＥＳ〜Ｓ１０５）。その後、該フォトセンサＳＷ１がＯＦＦになった場合には、ＣＰＵ２８１は、回転用モータ１２５を停止して、回転装飾部材８３を原点位置に停止させる（Ｓ１０６：ＹＥＳ〜Ｓ１０７）。
更に、起動時又はリセット時に、フォトセンサＳＷ１がＯＦＦで、且つフォトセンサＳＷ２がＯＮの場合には、ＣＰＵ２８１は、フォトセンサＳＷ２がＯＦＦになるまで回転用モータ１２５を所定回転速度で逆回転駆動して、回転装飾部材８３を正面視反時計方向に回転駆動する（Ｓ１０１：ＮＯ、Ｓ１０８：ＮＯ〜Ｓ１０３）。続いて、このフォトセンサＳＷ２がＯＦＦになった場合には、ＣＰＵ２８１は、回転用モータ１２５を低速回転速度で逆回転駆動して、回転装飾部材８３を正面視反時計方向に低速回転駆動する（Ｓ１０４：ＹＥＳ〜Ｓ１０５）。その後、フォトセンサＳＷ１がＯＦＦになった場合には、ＣＰＵ２８１は、回転用モータ１２５を停止して、回転装飾部材８３を原点位置に停止させる（Ｓ１０６：ＹＥＳ〜Ｓ１０７）。
【００７５】
これにより、延出部１３１の有・無を検出するフォトセンサＳＷ１とフォトセンサＳＷ２とは、中心角９０度離れて配置されているため、起動時又はリセット時に、フォトセンサＳＷ１がＯＮで、且つフォトセンサＳＷ２がＯＦＦの場合には、ＣＰＵ２８１は、回転装飾部材８３が原点位置から時計方向に９０度以内の回転した位置にあると判断して、回転用モータ１２５を低速回転速度で逆回転駆動して、該回転装飾部材８３を反時計方向に低速回転させて原点位置に正確に停止させることが可能となる。また、回転装飾部材８３を低速回転させる中心角度が９０度以下となるため、回転装飾部材８３の低速回転の時間を短縮することが可能となり、起動時又はリセット時に、回転装飾部材８３を迅速に原点位置に停止させることが可能となる。
また、起動時又はリセット時に、フォトセンサＳＷ１がＯＮで、且つフォトセンサＳＷ２がＯＮの場合、また、フォトセンサＳＷ１がＯＦＦで、且つフォトセンサＳＷ２がＯＦＦの場合、また、フォトセンサＳＷ１がＯＦＦで、且つフォトセンサＳＷ２がＯＮの場合には、ＣＰＵ２８１は、回転装飾部材８３が原点位置から時計方向に９０度以内の回転した位置にないと判断することができる。このため、ＣＰＵ２８１は、フォトセンサＳＷ１がＯＮで、且つフォトセンサＳＷ２がＯＦＦになるまで、即ち、回転装飾部材８３が原点位置から時計方向に９０度以内の回転した位置の状態になるまで、回転用モータ１２５を所定回転速度で回転させ、続いて、フォトセンサＳＷ１がＯＮで、且つフォトセンサＳＷ２がＯＦＦになった場合には、ＣＰＵ２８１は、回転装飾部材８３が原点位置から時計方向に９０度以内の回転した位置にあると判断して、回転用モータ１２５を低速回転速度で逆回転駆動して、回転装飾部材８３を反時計方向に低速回転させて原点位置に正確に停止させることが可能となる。また、回転装飾部材８３が原点位置から時計方向に９０度以内の回転した状態になるまで、回転用モータ１２５を所定回転速度で回転させ、その後、回転装飾部材８３が原点位置から時計方向に９０度以内の回転した状態になった場合には、回転用モータ１２５を低速回転速度で逆回転駆動するため、回転装飾部材８３の低速回転の時間を短縮することが可能となり、起動時又はリセット時に、回転装飾部材８３を更に迅速に原点位置に停止させることが可能となる。
【００７６】
また、起動時又はリセット時に、回転装飾部材８３が原点位置に位置する場合には、該回転装飾部材８３の中央部に形成される第４開口部８７が前面側装飾部材４９の第２開口部６９に重なるように位置し、第４開口部８７は第２開口部６９と略同一の大きさであるため、各７セグメント表示部１００、１０１及び各電飾ランプカバー１００Ａ、１０１Ａは前面側装飾部材４９によって隠されて、遊技者には見えなくなる。一方、回転装飾部材８３が回転用モータ１２５を介して所定角度（例えば、時計方向に４５度や９０度）回転駆動された場合には、各７セグメント表示部１００、１０１及び各電飾ランプカバー１００Ａ、１０１Ａは第２開口部６９内に出現し、遊技者がこの各７セグメント表示部１００、１０１及び各電飾ランプカバー１００Ａ、１０１Ａを確認することができ、種々の演出表示を行うことが可能となる。従って、液晶表示器（ＬＣＤ）５２のみの演出表示だけを行うことが可能となると共に、必要なときに裏側装飾部材５０に設けられた各７セグメント表示部１００、１０１及び各電飾ランプカバー１００Ａ、１０１Ａを出現させて演出表示を行うことができ、特別図柄表示装置４８の演出表示の多様化を図ることができ、興趣を増大させることができる。
【００７７】
尚、本発明は、上記実施例に限定されるものではなく、本発明の要旨を逸脱しない範囲内で種々の改良、変形が可能であることは勿論である。例えば、以下のようにしてもよい。
【実施例２】
【００７８】
（Ａ）上記実施例では、各表示回路基板１００Ｂ、１０１Ｂには各セグメント毎に点灯表示される電飾ランプや光演出用の各種電飾ランプ等が設けられているが、この各表示回路基板１００Ｂ、１０１Ｂ上にワンチップマイコンを搭載する構成にしてもよい。これにより、各フレキシブルプリント配線１０３、１０４の信号線や電源供給線の数を少なくすることが可能になり、該フレキシブルプリント配線１０３、１０４の幅寸法の縮小化を図ることができ、裏側装飾部材５０の更なる薄型化を図ることが可能となる。また、ワンチップマイコンを搭載することによって、各７セグメント表示部１００、１０１及び各電飾ランプカバー１００Ａ、１０１Ａの演出態様の高度化・複雑化を容易に行うことが可能となる。
【実施例３】
【００７９】
（Ｂ）上記実施例では、中継基板１０２と各表示回路基板１００Ｂ、１０１Ｂとを各フレキシブルプリント配線１０３、１０４によって電気的に接続したが、中継基板１０２と表示回路基板１０１Ｂとをフレキシブルプリント配線１０３によって接続後、この一方の表示回路基板１０１Ｂと他方の表示回路基板１００Ｂとをフレキシブルプリント配線で接続してもよい。これにより、空間部１０５内にはフレキシブルプリント配線１０３のみが折り返されて配線されるため、回転装飾部材８３の回転抵抗が少なくなり、回転装飾部材８３の回転動作の更なるスムーズ化、及び回転移動の更なる高精度化を図ることが可能となる。
【実施例４】
【００８０】
（Ｃ）上記実施例では、回転装飾部材８３が原点位置に位置する場合には、フォトセンサＳＷ１は、延出部１３１の反時計方向側の端縁部を挟むように配設されているが、この延出部１３１の時計方向側の端縁部（図１６中、延出部１３１の左上側の端縁部）を挟むように配設してもよい。また、この場合には、フォトセンサＳＷ２は、このフォトセンサＳＷ１から中心角が反時計方向に約９０度の位置で該延出部１３１を挟むように配設し、上記「起動時回転処理」のサブ処理（図３６参照）を実行する際に、回転用モータ１２５の各回転方向を逆回転方向に設定することにより、起動時又はリセット時に、回転装飾部材８３を迅速且つ正確に原点位置に停止させることが可能となる。
【実施例５】
【００８１】
（Ｄ）上記実施例では、延出部１３１は中心角が約１８０度になるように形成されたが、延出部１３１の中心角は約１８０度に限らず、約６０度、９０度、１５０度、２００度など３６０より小さい角度であれば任意の角度でもよい。また、この場合には、各フォトセンサＳＷ１、ＳＷ２の中心角は、約９０度だけでなく、約３０度、４５度、１００度等、延出部１３１の中心角以下の角度であれば任意の角度に配置してもよい。
【図面の簡単な説明】
【００８２】
【図１】本実施例に係るパチンコ機全体を示した正面側斜視図である。
【図２】本実施例に係るパチンコ機全体を示した背面側斜視図である。
【図３】本実施例に係るパチンコ機の遊技盤を示す正面図である。
【図４】本実施例に係るパチンコ機の遊技盤に取り付けられる特別図柄表示装置を示した分解側断面図である。
【図５】本実施例に係るパチンコ機の特別図柄表示装置の前側装飾部材を示した正面側斜視図である。
【図６】本実施例に係るパチンコ機の特別図柄表示装置の前側装飾部材を示した背面側斜視図である。
【図７】本実施例に係るパチンコ機の特別図柄表示装置の裏側装飾部材を示した分解斜視図である。
【図８】本実施例に係るパチンコ機の特別図柄表示装置の裏側装飾部材を示した正面図である。
【図９】本実施例に係るパチンコ機の特別図柄表示装置の裏側装飾部材を示した背面図である。
【図１０】本実施例に係るパチンコ機の特別図柄表示装置の裏側装飾部材を示した正面側斜視図である。
【図１１】本実施例に係るパチンコ機の特別図柄表示装置の裏側装飾部材を示した背面側斜視図である。
【図１２】本実施例に係るパチンコ機の特別図柄表示装置の裏側装飾部材における各フレキシブルプリント配線の配線状態を模式的に示す背面図である。
【図１３】図１２における上側の表示回路基板に接続されるフレキシブルプリント配線の回転装飾部材の回転に伴う折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１４】図１２における下側の表示回路基板に接続されるフレキシブルプリント配線の回転装飾部材の回転に伴う折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１５】図１３と図１４を重ね合わせた各フレキシブルプリント配線の折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１６】本実施例に係るパチンコ機の裏側装飾部材を構成する回転装飾部材が原点位置に位置している場合の、回転装飾部材と各フォトセンサとの位置関係を模式的に示す正面図である。
【図１７】本実施例に係るパチンコ機の裏側装飾部材を構成する回転装飾部材が時計方向に９０度回転した場合の、回転装飾部材と各フォトセンサとの位置関係を模式的に示す正面図である。
【図１８】本実施例に係るパチンコ機の裏側装飾部材を構成する回転装飾部材が時計方向に１８０度回転した場合の、回転装飾部材と各フォトセンサとの位置関係を模式的に示す正面図である。
【図１９】本実施例に係るパチンコ機の裏側装飾部材を構成する回転装飾部材を原点位置から時計方向に４５度回転した場合における遊技盤を示す正面図である。
【図２０】本実施例に係るパチンコ機の裏側装飾部材を構成する回転装飾部材を原点位置から時計方向に９０度回転した場合における遊技盤を示す正面図である。
【図２１】本実施例に係るパチンコ機の裏側装飾部材を構成する回転装飾部材を原点位置から時計方向に１３５度回転した場合における遊技盤を示す正面図である。
【図２２】本実施例に係るパチンコ機の駆動制御に係る制御システムの構成を示すブロック図である。
【図２３】本実施例に係るパチンコ機のサブ統合制御基板のＲＡＭの構成を示すブロック図である。
【図２４】本実施例に係るパチンコ機のサブ統合制御基板のＲＯＭの構成を示すブロック図である。
【図２５】本実施例に係るパチンコ機のサブ統合制御基板のＲＯＭのフォトセンサ出力テーブル記憶エリアに格納されるフォトセンサ出力テーブルの一例を示す図である。
【図２６】本実施例に係るパチンコ機のサブ統合制御基板のＲＯＭの表示パターンテーブル記憶エリアに格納される表示パターンテーブルの一例を示す図である。
【図２７】本実施例に係るパチンコ機のサブ統合制御基板のＲＯＭの回転駆動タイムチャート記憶エリアに格納される回転装飾部材を回転駆動するタイムチャートの一例を示す図で、（Ａ）は表示パターンＡに対応するタイムチャート、（Ｂ）は表示パターンＢに対応するタイムチャート、（Ｃ）は表示パターンＣに対応するタイムチャート、（Ｄ）は表示パターンＤに対応するタイムチャートである。
【図２８】本実施例に係るパチンコ機のサブ統合制御基板のＣＰＵが、回転装飾部材を原点位置（０度）から時計方向約９０度まで回転駆動する際に実行する「０度〜９０度回転処理」のサブ処理を示すサブフローチャートである。
【図２９】本実施例に係るパチンコ機のサブ統合制御基板のＣＰＵが、回転装飾部材を時計方向約９０度まで回転した位置から反時計方向に原点位置（０度）まで回転駆動する際に実行する「９０度〜０度回転処理」のサブ処理を示すサブフローチャートである。
【図３０】本実施例に係るパチンコ機のサブ統合制御基板のＣＰＵが、回転装飾部材を原点位置（０度）から時計方向約１８０度まで回転駆動する際に実行する「０度〜１８０度回転処理」のサブ処理を示すサブフローチャートである。
【図３１】本実施例に係るパチンコ機のサブ統合制御基板のＣＰＵが、回転装飾部材を時計方向約１８０度まで回転した位置から反時計方向に原点位置（０度）まで回転駆動する際に実行する「１８０度〜０度回転処理」のサブ処理を示すサブフローチャートである。
【図３２】本実施例に係るパチンコ機のサブ統合制御基板のＣＰＵが、回転装飾部材を原点位置から時計方向約９０度まで回転した位置から更に時計方向に約９０度回転した位置まで、即ち原点位置から時計方向約１８０度まで回転した位置へ回転駆動する際に実行する「９０度〜１８０度回転処理」のサブ処理を示すサブフローチャートである。
【図３３】本実施例に係るパチンコ機のサブ統合制御基板のＣＰＵが、回転装飾部材を原点位置から時計方向約１８０度まで回転した位置から反時計方向約９０度回転した位置まで、即ち原点位置から時計方向約９０度まで回転した位置へ回転駆動する際に実行する「１８０度〜９０度回転処理」のサブ処理を示すサブフローチャートである。
【図３４】本実施例に係るパチンコ機のサブ統合制御基板のＣＰＵが、回転装飾部材を原点位置から時計方向約９０度まで回転した位置において、この回転装飾部材を揺動させる際に実行する「９０度揺動処理」のサブ処理を示すサブフローチャートである。
【図３５】本実施例に係るパチンコ機のサブ統合制御基板のＣＰＵが、回転装飾部材を原点位置から時計方向約１８０度まで回転した位置において、この回転装飾部材を揺動させる際に実行する「１８０度揺動処理」のサブ処理を示すサブフローチャートである。
【図３６】本実施例に係るパチンコ機のサブ統合制御基板のＣＰＵが、起動時又はリセット時に回転装飾部材を初期位置（原点位置）に位置させる際に実行する「起動時回転処理」のサブ処理を示すサブフローチャートである。
【符号の説明】
【００８３】
１                  パチンコ機
４１                遊技盤
４２                遊技領域
４７                第１開口部
４８                特別図柄表示装置
４９                前側装飾部材
５０                裏側装飾部材
５１                取付カバー部材
５２                液晶表示器（ＬＣＤ）
６９                第２開口部
８１                第３開口部
８１Ａ、８４Ａ      リブ部
８２                枠部材
８３                回転装飾部材
８４                回転カバー部材
８７                第４開口部
８９                前側回転支持板
９０、９４          段差部
９２                原点マーク
９５                裏側回転支持板
９７Ａ、９７Ｂ、９８Ａ、９８Ｂ    回転ローラ
１００、１０１      ７セグメント表示部
１００Ａ、１０１Ａ      電飾ランプカバー
１００Ｂ、１０１Ｂ      表示回路基板
１０２              中継基板
１０３、１０４      フレキシブルプリント配線
１１０、１１２、１１５    入口部
１１１、１１３            出口部
１２５              回転用モータ
１２６              ピニオンギヤ
１２７、１２８      アイドルギヤ
１２９              回転ギヤ部
１３１              延出部
ＳＷ１、ＳＷ２      フォトセンサ
２６０              演出表示基板
２６１、２８１、２９１      ＣＰＵ
２６２、２８２、２９２      ＲＯＭ
２６３、２８３、２９３      ＲＡＭ
２８０              サブ統合制御基板
２９０              主制御基板
【図１】
2006198178.tif 000003
【図２】
2006198178.tif 000004
【図３】
2006198178.tif 000005
【図４】
2006198178.tif 000006
【図５】
2006198178.tif 000007
【図６】
2006198178.tif 000008
【図７】
2006198178.tif 000009
【図８】
2006198178.tif 000010
【図９】
2006198178.tif 000011
【図１０】
2006198178.tif 000012
【図１１】
2006198178.tif 000013
【図１２】
2006198178.tif 000014
【図１３】
2006198178.tif 000015
【図１４】
2006198178.tif 000016
【図１５】
2006198178.tif 000017
【図１６】
2006198178.tif 000018
【図１７】
2006198178.tif 000019
【図１８】
2006198178.tif 000020
【図１９】
2006198178.tif 000021
【図２０】
2006198178.tif 000022
【図２１】
2006198178.tif 000023
【図２２】
2006198178.tif 000024
【図２３】
2006198178.tif 000025
【図２４】
2006198178.tif 000026
【図２５】
2006198178.tif 000027
【図２６】
2006198178.tif 000028
【図２７】
2006198178.tif 000029
【図２８】
2006198178.tif 000030
【図２９】
2006198178.tif 000031
【図３０】
2006198178.tif 000032
【図３１】
2006198178.tif 000033
【図３２】
2006198178.tif 000034
【図３３】
2006198178.tif 000035
【図３４】
2006198178.tif 000036
【図３５】
2006198178.tif 000037
【図３６】
2006198178.tif 000038